(57)【要約】【課題】映像や音声などの情報の編集を簡単かつ迅速に行えるとともに、１回の編集作業で同じ内容を記録した複数の記録媒体の作成を可能にする。【解決手段】ＤＶ端子ＤＶｉｏを通じて接続されたＤＶカメラからの映像データ、音声データ、タイムコードをデジタルＩ／Ｆ１２９、ＤＶコーデック１２８を通じて受け付け、映像データ、音声データは、再生するようにする。タイムコードはシステムコントローラ１５０に供給する。目的とするシーンのイン点、アウト点の入力をリモコン装置１６０を通じて受け付け、そのイン点のタイムコード、アウト点のタイムコードをＥＥＰＲＯＭ１５４に記録保持し、これを用いて、ＤＶテープからＤＶＤに目的とするシーンからなるタイトルをダビングする。【選択図】        図１
2004221884.tif 000002
【特許請求の範囲】
【請求項１】
外部装置の記録媒体に記録されている情報信号と前記情報信号の所定単位毎の前記外部装置の記録媒体上の記録位置を示す位置情報との供給を受け付ける受付手段と、
前記受付手段を通じて受け付けた前記情報信号を自機の第１の記録媒体に記録する第１の記録手段と、
前記受付手段を通じて受け付けた前記位置情報を前記情報信号と関連付けて自機のメモリに記録する第２の記録手段と、
前記第１の記録媒体に記録された前記情報信号の目的とする１つ以上の区間の開始点と終了点との指示入力を順次に受け付けるようにする指示手段と、
前記指示手段を通じて受け付けた前記開始点に対応する前記情報信号の位置情報と前記終了点に対応する前記情報信号の位置情報とを前記メモリから取得する取得手段と、
前記取得手段を通じて取得した前記開始点に対応する位置情報と前記終了点に対応する位置情報とを編集情報として、自機のメモリに記録する第３の記録手段と
を備えることを特徴とする情報信号記録装置。
【請求項２】
請求項１に記載の情報信号記録装置であって、
前記情報信号は、少なくとも映像信号を含むものであり、
前記取得手段を通じて受け付けた前記開始点に対応する位置の１画面分の画像を形成する前記映像信号に基づいて、サムネイル画像を形成する形成手段と、
前記形成手段において形成された前記サムネイル画像を前記開始点に対応付けて自機のメモリに記録する第４の記録手段と
を備えることを特徴とする情報信号記録装置。
【請求項３】
請求項１に記載の情報信号記録装置であって、
記録モードの選択入力を受け付けるモード選択手段を備え、
前記第３の記録手段は、前記モード選択手段を通じて選択するようにされた記録モードを示す情報を前記編集情報に関連付けて前記メモリに記録することを特徴とする情報信号記録装置。
【請求項４】
請求項１、請求項２または請求項３に記載の情報信号記録装置であって、
前記編集情報に基づいて、前記目的とする１つ以上の区間のそれぞれの前記情報信号の提供を要求するための提供要求を形成する要求形成手段と、
前記要求形成手段において形成された前記提供要求を前記情報信号が記録された記録媒体を有するようにされた前記外部装置に送信する送信手段と、
前記提供要求に基づいて、前記外部装置から送信されてくる前記目的とする１つ以上の区間のそれぞれの情報信号を受信する受信手段と、
前記受信手段を通じて受け付けた前記情報信号を記録媒体に記録する第５の記録手段と
を備えたことを特徴とする情報信号記録装置。
【請求項５】
請求項４に記載の情報信号記録装置であって、
前記第５の記録手段により前記情報信号が記録される前記記録媒体の記憶容量の残量を検出する検出手段と、
前記編集情報に基づいて、前記第５の記録手段により前記記録媒体に記録される情報信号のデータ量を算出する算出手段と、
前記検出手段からの検出結果と前記算出手段からの算出結果とから、前記第５の記録手段に記録されることになる前記情報信号の全部を前記記録媒体に記録できるように記録モードを変更するように制御する制御手段と
を備えることを特徴とする情報信号記録装置。
【請求項６】
請求項４または請求項５に記載の情報信号記録装置であって、
前記第５の記録手段により前記記録媒体に記録される前記情報信号の供給を受けて、これを一時記憶するメモリと、
前記メモリに記録された前記情報信号を記録順に順次に読み出して、これを再生するようにする再生手段と
を備えることを特徴とする情報信号記録装置。
【請求項７】
外部装置の記録媒体に記録されている情報信号と前記情報信号の所定単位毎の前記外部装置の記録媒体上の記録位置を示す位置情報との供給を受け付ける受付手段と、
前記受付手段を通じて受け付けた前記情報信号の目的とする１つ以上の区間の開始点と終了点との指示入力を順次に受け付けるようにする指示手段と、
前記指示手段を通じて受け付けた前記開始点に対応する前記情報信号の位置情報と前記終了点に対応する前記情報信号の位置情報とを、前記受付手段を通じて受け付けた前記位置情報から取得する取得手段と、
前記取得手段を通じて取得した前記開始点に対応する位置情報と前記終了点に対応する位置情報とを編集情報として、自機のメモリに記録する記録手段と
を備えることを特徴とする情報信号記録装置。
【請求項８】
請求項７に記載の情報信号記録装置であって、
前記情報信号は、少なくとも映像信号を含むものであり、
前記取得手段を通じて受け付けた前記開始点に対応する位置の１画面分の画像を形成する前記映像信号に基づいて、サムネイル画像を形成する形成手段と、
前記形成手段において形成された前記サムネイル画像を前記開始点に対応付けて自機のメモリに記録する第２の記録手段と
を備えることを特徴とする情報信号記録装置。
【請求項９】
請求項７に記載の情報信号記録装置であって、
記録モードの選択入力を受け付けるモード選択手段を備え、
前記第１の記録手段は、前記モード選択手段を通じて選択するようにされた記録モードを示す情報を前記編集情報に関連付けて前記メモリに記録することを特徴とする情報信号記録装置。
【請求項１０】
請求項７、請求項８または請求項９に記載の情報信号記録装置であって、
前記編集情報に基づいて、前記目的とする１つ以上の区間のそれぞれの前記情報信号の提供を要求するための提供要求を形成する要求形成手段と、
前記要求形成手段において形成された前記提供要求を前記情報信号が記録された記録媒体を有するようにされた前記外部装置に送信する送信手段と、
前記提供要求に基づいて、前記外部装置から送信されてくる前記目的とする１つ以上の区間のそれぞれの情報信号を受信する受信手段と、
前記受信手段を通じて受け付けた前記情報信号を記録媒体に記録する第３の記録手段と
を備えたことを特徴とする情報信号記録装置。
【請求項１１】
請求項１０に記載の情報信号記録装置であって、
前記第３の記録手段により前記情報信号が記録される前記記録媒体の記憶容量の残量を検出する検出手段と、
前記編集情報に基づいて、前記第３の記録手段により前記記録媒体に記録される情報信号のデータ量を算出する算出手段と、
前記検出手段からの検出結果と前記算出手段からの算出結果とから、前記第３の記録手段に記録されることになる前記情報信号の全部を前記記録媒体に記録できるように記録モードを変更するように制御する制御手段と
を備えることを特徴とする情報信号記録装置。
【請求項１２】
請求項１０または請求項１１に記載の情報信号記録装置であって、
前記第３の記録手段により前記記録媒体に記録される前記情報信号の供給を受けて、これを一時記憶するメモリと、
前記メモリに記録された前記情報信号を記録順に順次に読み出して、これを再生するようにする再生手段と
を備えることを特徴とする情報信号記録装置。
【請求項１３】
外部装置の記録媒体に記録されている情報信号と前記情報信号の所定単位毎の前記外部装置の記録媒体上の記録位置を示す位置情報との供給を受け付ける受付ステップと、
受け付けた前記情報信号を自機の第１の記録媒体に記録する第１の記録ステップと、
受け付けた前記位置情報を前記情報信号と関連付けて自機のメモリに記録する第２の記録ステップと、
前記第１の記録媒体に記録された前記情報信号の目的とする１つ以上の区間の開始点と終了点との指示入力を順次に受け付けるようにする指示ステップと、
受け付けた前記開始点に対応する前記情報信号の位置情報と前記終了点に対応する前記情報信号の位置情報とを前記メモリから取得する取得ステップと、
取得した前記開始点に対応する位置情報と前記終了点に対応する位置情報とを編集情報として、自機のメモリに記録する第３の記録ステップと
からなることを特徴とする情報信号記録方法。
【請求項１４】
請求項１３に記載の情報信号記録方法であって、
前記情報信号は、少なくとも映像信号を含むものであり、
前記取得ステップにおいて受け付けた前記開始点に対応する位置の１画面分の画像を形成する前記映像信号に基づいて、サムネイル画像を形成する形成ステップと、
形成された前記サムネイル画像を前記開始点に対応付けて自機のメモリに記録する第４の記録ステップと
を有することを特徴とする情報信号記録方法。
【請求項１５】
請求項１３に記載の情報信号記録方法であって、
記録モードの選択入力を受け付けるモード選択ステップを有し、
前記第３の記録ステップにおいては、前記モード選択ステップにおいて選択するようにされた記録モードを示す情報を前記編集情報とともに前記メモリに記録することを特徴とする情報信号記録方法。
【請求項１６】
請求項１３、請求項１４または請求項１５に記載の情報信号記録方法であって、
前記編集情報に基づいて、前記目的とする１つ以上の区間のそれぞれの前記情報信号の提供を要求するための提供要求を形成するステップと、
形成された前記提供要求を前記情報信号が記録された記録媒体を有するようにされた前記外部装置に送信する送信ステップと、
前記提供要求に基づいて、前記外部装置から送信されてくる前記目的とする１つ以上の区間のそれぞれの情報信号を受信する受信ステップと、
前記受信ステップにおいて受け付けた前記情報信号を記録媒体に記録する第５の記録ステップと
を備えたことを特徴とする情報信号記録方法。
【請求項１７】
請求項１６に記載の情報信号記録方法であって、
前記第５の記録ステップにおいて前記情報信号が記録される前記記録媒体の記憶容量の残量を検出する検出ステップと、
前記編集情報に基づいて、前記第５の記録ステップの処理により前記記録媒体に記録されることになる情報信号のデータ量を算出する算出ステップと、
前記検出ステップにおいての検出結果と前記算出ステップにおいての算出結果とから、前記第５の記録ステップの処理により記録されることになる前記情報信号の全部を前記記録媒体に記録ために記録モードの変更を制御する制御ステップと
を有することを特徴とする情報信号記録方法。
【請求項１８】
請求項１６または請求項１７に記載の情報信号記録方法であって、
前記第５の記録ステップの処理により前記記録媒体に記録される前記情報信号の供給を受けて、これを一時記憶メモリに記録するステップと、
前記メモリに記録された前記情報信号を記録順に順次に読み出して、これを再生するようにするステップと
を有することを特徴とする情報信号記録方法。
【請求項１９】
外部装置の記録媒体に記録されている情報信号と前記情報信号の所定単位毎の前記外部装置の記録媒体上の記録位置を示す位置情報との供給を受け付ける受付ステップと、
受け付けた前記情報信号の目的とする１つ以上の区間の開始点と終了点との指示入力を順次に受け付けるようにする指示ステップと、
受け付けた前記開始点に対応する前記情報信号の位置情報と前記終了点に対応する前記情報信号の位置情報とを、前記受付ステップにおいて受け付けた前記位置情報から取得する取得ステップと、
取得した前記開始点に対応する位置情報と前記終了点に対応する位置情報とを編集情報として、自機のメモリに記録する第１の記録ステップと
からなることを特徴とする情報信号記録方法。
【請求項２０】
請求項１９に記載の情報信号記録方法であって、
前記情報信号は、少なくとも映像信号を含むものであり、
前記取得ステップにおいて受け付けた前記開始点に対応する位置の１画面分の画像を形成する前記映像信号に基づいて、サムネイル画像を形成する形成ステップと、
形成された前記サムネイル画像を前記開始点に対応付けて自機のメモリに記録する第２の記録ステップと
を備えることを特徴とする情報信号記録方法。
【請求項２１】
請求項１９に記載の情報信号記録方法であって、
記録モードの選択入力を受け付けるモード選択ステップを有し、
前記第１の記録ステップにおいては、前記モード選択ステップにおいて選択するようにされた記録モードを示す情報を前記編集情報とともに前記メモリに記録することを特徴とする情報信号記録方法。
【請求項２２】
請求項１９、請求項２０または請求項２１に記載の情報信号記録方法であって、
前記編集情報に基づいて、前記目的とする１つ以上の区間のそれぞれの前記情報信号の提供を要求するための提供要求を形成する要求形成ステップと、
形成した前記提供要求を前記情報信号が記録された記録媒体を有するようにされた前記外部装置に送信する送信ステップと、
前記提供要求に応じて前記外部装置から送信されてくる前記目的とする１つ以上の区間のそれぞれの情報信号を受信する受信ステップと、
前記受信ステップにおいて受け付けた前記情報信号を記録媒体に記録する第３の記録ステップと
を有することを特徴とする情報信号記録方法。
【請求項２３】
請求項２２に記載の情報信号記録方法であって、
前記第３の記録ステップの処理により前記情報信号が記録される前記記録媒体の記憶容量の残量を検出する検出ステップと、
前記第３の記録ステップの処理により前記記録媒体に記録される情報信号のデータ量を前記編集情報に基づいて算出する算出ステップと、
前記検出ステップにおいての検出結果と前記算出ステップにおいての算出結果とから、前記第３の記録ステップの処理により記録されることになる前記情報信号の全部を、記記録媒体に記録できるように記録モードの変更を制御する制御手段と
を有することを特徴とする情報信号記録方法。
【請求項２４】
請求項２２または請求項２３に記載の情報信号記録方法であって、
前記第３の記録ステップにおいて前記記録媒体に記録される前記情報信号の供給を受けて、これを一時記憶メモリに記録するステップと、
前記一時記憶メモリに記録された前記情報信号を記録順に順次に読み出して、これを再生するようにするステップと
を備えることを特徴とする情報信号記録方法。
【請求項２５】
情報信号出力装置と情報信号記録装置とが制御信号の送受が可能な情報信号伝送路を通じて接続されて形成される情報信号記録システムであって、
前記情報信号出力装置は、
自機に装填された記録媒体に記録されている情報信号と当該情報信号の所定単位毎の前記記録媒体上の記録位置を示す位置情報とを読み出す読み出し手段と、
前記読み出し手段を通じて読み出された前記情報信号と前記位置情報とを前記情報信号伝送路を通じて前記情報信号記録装置に送出する送出手段と
を備え、
前記情報信号記録装置は、
前記情報信号伝送路を通じて前記情報信号出力装置から送信されてくる前記情報信号と前記位置情報とを受け付ける受付手段と、
前記受付手段を通じて受け付けた前記情報信号を自機の第１の記録媒体に記録する第１の記録手段と、
前記受付手段を通じて受け付けた前記位置情報を前記情報信号と関連付けて自機のメモリに記録する第２の記録手段と、
前記第１の記録媒体に記録された前記情報信号の目的とする１つ以上の区間の開始点と終了点との指示入力を順次に受け付けるようにする指示手段と、
前記指示手段を通じて受け付けた前記開始点に対応する前記情報信号の位置情報と前記終了点に対応する前記情報信号の位置情報とを前記メモリから取得する取得手段と、
前記取得手段を通じて取得した前記開始点に対応する位置情報と前記終了点に対応する位置情報とを編集情報として、自機のメモリに記録する第３の記録手段と
を備えることを特徴とする情報信号記録システム。
【請求項２６】
情報信号出力装置と情報信号記録装置とが制御信号の送受が可能な情報信号伝送路を通じて接続されて形成される情報信号記録システムであって、
前記情報信号出力装置は、
前記情報信号伝送路を通じて前記情報信号記録装置から送信されてくる情報信号の読み出しに関する制御信号を受け付ける受付手段と、
前記制御信号に応じて、自機に装填された記録媒体に記録されている情報信号と当該情報信号の所定単位毎の前記記録媒体上の記録位置を示す位置情報とを読み出す読み出し手段と、
前記読み出し手段を通じて読み出された前記情報信号と前記位置情報とを前記情報信号伝送路を通じて前記情報信号記録装置に送出する送出手段と
を備え、
前記情報信号記録装置は、
前記情報信号出力装置に対する情報信号の読み出しに関する指示入力を受け付ける入力手段と、
前記入力手段を通じて受け付けた前記指示入力に応じた制御信号を形成し、この制御信号を前記情報信号伝送路を通じて前記情報信号出力装置に送信する送信手段と、
前記情報信号出力装置から前記情報信号伝送路を通じて送信されてくる前記情報信号と前記位置情報との供給を受け付ける受付手段と、
前記受付手段を通じて受け付けた前記情報信号の目的とする１つ以上の区間の開始点と終了点との指示入力を順次に受け付けるようにする指示手段と、
前記指示手段を通じて受け付けた前記開始点に対応する前記情報信号の位置情報と前記終了点に対応する前記情報信号の位置情報とを、前記受付手段を通じて受け付けた前記位置情報から取得する取得手段と、
前記取得手段を通じて取得した前記開始点に対応する位置情報と前記終了点に対応する位置情報とを編集情報として、自機のメモリに記録する記録手段と
を備えることを特徴とする情報信号記録システム。
【請求項２７】
請求項２５または請求項２６に記載の情報信号記録システムであって、
前記情報信号出力装置は、
前記情報信号記録装置から前記情報信号伝送を通じて伝送されてくる情報信号の提供要求を受け付ける要求受付手段と、
前記要求受付手段を通じて受け付けた前記提供要求に基づいて、要求された区間の情報信号を読み出すようにする要求情報読み出し手段と、
前記要求情報読み出し手段により読み出された区間の情報信号を前記情報信号伝送路を通じて前記情報信号記録装置に供給する供給手段と
を備え、
前記情報信号記録装置は、
前記編集情報に基づいて、前記目的とする１つ以上の区間のそれぞれの前記情報信号の提供を要求するための提供要求を形成する要求形成手段と、
前記要求形成手段において形成された前記提供要求を前記情報信号伝送路を通じて前記情報信号出力装置に送信する送信手段と、
前記提供要求に応じて、前記情報信号出力装置から前記情報信号伝送路を通じて送信されてくる前記目的とする１つ以上の区間のそれぞれの情報信号を受信する受信手段と、
前記受信手段を通じて受け付けた前記情報信号を記録媒体に記録する目的情報記録手段と
を備えることを特徴とする情報信号記録システム。
【発明の詳細な説明】
【０００１】
【発明の属する技術分野】
この発明は、例えば、ＤＶ（Ｄｉｇｉｔａｌ  Ｖｉｄｅｏ）テープなどの記録媒体に記録されている情報信号をＤＶＤ（Ｖｉｄｅｏ  Ｖｅｒｓａｔｉｌｅ  Ｄｉｓｋ）などの他の記録媒体に記録する場合に用いられる装置、方法およびシステムに関する。
【０００２】
【従来の技術】
デジタルビデオカメラやＤＶＤの記録再生機（以下、ＤＶＤ装置という。）の普及に伴い、例えば、デジタルビデオカメラにより撮影されてデジタルビデオテープ（以下ＤＶテープという。）に記録された映像と音声のうちから、必要なシーンの映像と音声を抽出して、これらを例えば記録可能なＤＶＤに記録するようにする編集作業が広く行われるようになってきている。
【０００３】
そして、例えば、ＤＶテープからＤＶＤへの編集作業を行う場合、ＤＶテープに記録されている全ての映像データと音声データをハードディスクやＤＶＤ等のランダムアクセスが可能な大容量記録媒体に記録して編集作業を行うようにすることが広く行われている。
【０００４】
そして、大容量記録媒体に記録された映像データ、音声データについて、再生、早送り、早戻し、コマ送り、コマ戻し、一時停止などを行いながら、目的とする１つ以上のシーンの開始位置と終了位置とを検索して指定していき、最終的には、開始位置と終了位置とで示されるシーンの映像データと音声データとをＤＶＤに記録する。これにより、目的のシーンのみが記録されたＤＶＤが作成される。
【０００５】
このように、ランダムアクセスが可能な大容量記録媒体を用いるのは、フレーム単位での映像データや音声データの検索、および、目的とするシーンの開始位置と終了位置との指示を簡単かつ確実に行って、目的のシーンのみが記録されたＤＶＤを迅速に作成することができるようにするためである。そして、一般には、ハードディスクとＤＶＤとの２つの記録媒体を扱うことが可能な記録再生装置を用いることにより、あるいは、パーソナルコンピュータを介在させることにより、上述したような編集作業が行われている。
【０００６】
しかしながら、編集作業を行うためには、編集機能を有する機器に、編集後の情報を記録する記録媒体以外に、大容量記録媒体を用意し、しかもその大容量記録媒体には、編集対象の映像データや音声データの全部を記録することが可能な容量以上の空き領域がなければならず、編集機能を有する機器がコスト的に高くなったり、また、編集作業に先立って、大容量記録媒体の不用な情報などを削除したりする必要があり手間や時間がかかる場合もある。
【０００７】
このため、パーソナルコンピュータは用いるものの、大容量記録媒体は特に必要とせず、ビデオテープに記録されている映像データと音声データとのうちから、必要なシーンの映像データと音声データとを他のビデオテープに編集することを可能にする方式が、例えば特許文献１（特開平５−１０１６０９号公報）に記載されている。
【０００８】
この方式の場合には、編集しようとする映像と音声とが記録されたビデオテープが装填されたＶＴＲ（Ｖｉｄｅｏ  Ｔａｐｅ  Ｒｅｃｏｒｄｅｒ）からパーソナルコンピュータのハードディスクに所定量分ずつ映像データと音声データとを書き込み、これを再生するようにして目的とするシーンの開始点、終了点を指定して行くようにする。書き込んだ所定量分の映像データと音声データとの中に目的とするシーンが存在しない場合には、次の所定量分の映像データと音声データとをパーソナルコンピュータのハードディスクに書き込んで同じ処理を行うようにする。
【０００９】
このような処理を繰り返し、必要なシーンの開始位置と終了位置の指定を全て終了した場合には、編集しようとするもとの映像データと音声データとが記録されたビデオテープ（Ａ）がセットされたＶＴＲ（１）と、目的とするシーンの映像データと音声データとが記録されるビデオテープ（Ｂ）がセットされたＶＴＲ（２）とを、パーソナルコンピュータが制御して、ＶＴＲ（１）のビデオテープ（Ａ）から目的とするシーンの映像信号と音声信号とを読み出して、ＶＴＲ（２）のビデオテープ（Ｂ）に記録し、目的とするシーンのみからなるビデオテープ（Ｂ）が形成される。
【００１０】
この方式の場合には、ＶＴＲ（１）のビデオテープ（Ａ）からパーソナルコンピュータのハードディスクに書き込まれる映像データ、音声データは、ビデオテープ（Ａ）に記録されているものの一部分である所定量分であるので、ハードディスクに大きな空き容量は必要なく、目的とするシーンのみを得る編集作業を行うことができるようにされる。
【００１１】
【特許文献１】
特開平５−１０１６０９号公報
【００１２】
【発明が解決しようとする課題】
しかしながら、上述した特許文献１に記載の方式では、パーソナルコンピュータを介在させなければならず、一般の家庭において適用するには規模が大きなシステムである。また、パーソナルコンピュータを介在させることにより、編集作業が複雑なものとなり、簡単かつ迅速な編集作業を行う環境を十分に整えられることができない場合もあると考えられる。
【００１３】
すなわち、一般の家庭において求められているのは、パーソナルコンピュータなどを介在させることなく、編集対象の映像と音声とが記録された記録媒体が装填された例えばデジタルビデオカメラと編集後の映像と音声とが記録される記録媒体が装填された例えばＤＶＤ装置とだけを用いて、できるだけ簡単な操作で、しかも迅速に必要なシーンのみを記録した記録媒体を作成できるようにしたいと言うことである。
【００１４】
また、例えば結婚式の披露宴などの様子をデジタルビデオカメラにより撮影するようにしたときなど、これを編集してＤＶＤに記録し、複数の親戚や友人、知人に配布したい場合もある。このような場合に、同じ編集作業を複数回行うことなく、しかも別の記録装置などを用いることもなく、デジタルビデオカメラとＤＶＤ装置とだけで、編集後の映像と音声とからなる同じ内容のＤＶＤを複数枚作成できるようにしたいとする要求も高い。
【００１５】
以上のことにかんがみ、この発明は、パーソナルコンピュータなどの機器を介在させることなく、映像や音声などの情報の編集を簡単かつ迅速に行えるとともに、１回の編集作業で同じ内容を記録した複数の記録媒体の作成を可能にする装置、方法およびシステムを提供することを目的とする。
【００１６】
【課題を解決するための手段】
上記課題を解決するため、請求項１に記載の発明の情報信号記録装置は、
外部装置の記録媒体に記録されている情報信号と前記情報信号の所定単位毎の前記外部装置の記録媒体上の記録位置を示す位置情報との供給を受け付ける受付手段と、
前記受付手段を通じて受け付けた前記情報信号を自機の第１の記録媒体に記録する第１の記録手段と、
前記受付手段を通じて受け付けた前記位置情報を前記情報信号と関連付けて自機のメモリに記録する第２の記録手段と、
前記第１の記録媒体に記録された前記情報信号の目的とする１つ以上の区間の開始点と終了点との指示入力を順次に受け付けるようにする指示手段と、
前記指示手段を通じて受け付けた前記開始点に対応する前記情報信号の位置情報と前記終了点に対応する前記情報信号の位置情報とを前記メモリから取得する取得手段と、
前記取得手段を通じて取得した前記開始点に対応する位置情報と前記終了点に対応する位置情報とを編集情報として、自機のメモリに記録する第３の記録手段と
を備えることを特徴とする。
【００１７】
この請求項１に記載の発明の情報信号記録装置によれば、外部機器に装填されている記録媒体に記録されている情報信号と、その情報信号の当該外部機器に装填されている当該記録媒体上の記録位置を示す位置情報が当該外部機器から供給される。これら情報信号と位置情報とが受付手段を通じて受け付けられ、情報信号は第１の記録手段により第１の記録媒体に、位置情報は第２の記録手段によりメモリに記録される。
【００１８】
そして、第１の記録媒体に記録された情報信号が例えば再生するようにされて、目的とする１つ以上の区間の開始点と終了点との指示入力が指示手段を通じて受け付けられ、その開始点、終了点に対応する位置情報が取得手段によりメモリから取得される。この取得された１つ以上の区間の開始点、終了点に対応する位置情報が、編集情報としてこの情報信号記録再生装置のメモリに記録される。
【００１９】
このように、外部記録装置に装填された記録媒体からの情報信号は、その全部が第１の記録媒体に記録される。そして、目的とする区間の開始点、終了点に対応する位置情報が編集情報としてメモリに保持されることにより、この編集情報を用いて、第１の記録媒体に記録された情報信号の内の目的とする区間の情報信号のみを再生することができるようにされる。
【００２０】
さらに、編集の対象になった情報信号が記録された記録媒体が装填された外部機器から、編集情報に基づいて、目的とする区間の情報信号のみの供給を受けるようにして、同じ内容が記録された記録媒体を複数作成することも可能にされる。このように、種々の利用が可能な編集情報を当該情報信号記録装置に対する簡単な操作のみによって作成することができるようにされる。
【００２１】
また、請求項７に記載の発明の情報信号記録装置は、
外部装置の記録媒体に記録されている情報信号と前記情報信号の所定単位毎の前記外部装置の記録媒体上の記録位置を示す位置情報との供給を受け付ける受付手段と、
前記受付手段を通じて受け付けた前記情報信号の目的とする１つ以上の区間の開始点と終了点との指示入力を順次に受け付けるようにする指示手段と、
前記指示手段を通じて受け付けた前記開始点に対応する前記情報信号の位置情報と前記終了点に対応する前記情報信号の位置情報とを、前記受付手段を通じて受け付けた前記位置情報から取得する取得手段と、
前記取得手段を通じて取得した前記開始点に対応する位置情報と前記終了点に対応する位置情報とを編集情報として、自機のメモリに記録する記録手段と
を備えることを特徴とする。
【００２２】
この請求項７に記載の発明の情報信号記録装置によれば、外部機器に装填されている記録媒体に記録されている情報信号と、その情報信号の当該外部機器に装填されている当該記録媒体上の記録位置を示す位置情報が当該外部機器から供給される。これら情報信号と位置情報とが受付手段を通じて受け付けられる。
【００２３】
そして、供給された情報信号がそのまま再生するなどするようにされ、当該情報信号についての目的とする１つ以上の区間の開始点と終了点との指示入力が指示手段を通じて受け付けられる。この開始点、終了点に対応する位置情報が取得手段により受付手段を通じて受け付けた位置情報の中から取得される。この取得された１つ以上の区間の開始点、終了点に対応する位置情報が、編集情報としてこの情報信号記録再生装置のメモリに記録される。
【００２４】
このように、外部記録装置に装填された記録媒体からの情報信号と位置情報とを受け付け、情報信号に行いては再生するなどして、目的とする区間の開始点、終了点が指示され、指示された開始点終了点に対応する位置情報が編集情報としてメモリに保持される。
【００２５】
この編集情報を用いて、編集の対象になった情報信号が記録された記録媒体が装填された外部機器から、目的とする区間の情報信号のみの供給を受けて同じ内容が記録された記録媒体を複数作成することが可能にされる。このように、種々の利用が可能な編集情報を当該情報信号記録装置に対する簡単な操作のみによって作成することができるようにされる。
【００２６】
【発明の実施の形態】
以下、図を参照しながらこの発明の一実施の形態について説明する。以下に説明する実施の形態においては、この発明による情報信号記録装置、情報信号記録方法をＤＶＤ装置に適用し、また、この発明による情報信号記録システムをデジタルビデオカメラ（以下、ＤＶカメラと略称する。）とＤＶＤ装置とにより形成されるシステムに適用した場合を例にして説明する。
【００２７】
［システム構成について］
図１は、この実施の形態のシステム構成を説明するための図である。図１に示すように、この実施の形態の情報信号記録システムは、ＤＶＤの記録再生装置であるＤＶＤ装置１と、ＤＶカメラ２とにより構成されたものである。ＤＶＤ装置１と、ＤＶカメラ２とは、デジタル入出力端子として、ＩＥＥＥ（Ｉｎｓｔｉｔｕｔｅ  ｏｆＥｌｅｃｔｒｉｃａｌ  ａｎｄ  Ｅｌｅｃｔｒｏｎｉｃｓ  Ｅｎｇｉｎｅｅｒｓ）１３９４インターフェースをベースにしたＩＥＥＥ１３９４ＤＶ規格のデジタル・ビデオ用入出力端子（以下、ＤＶ端子という。）を備えたものである。
【００２８】
図１に示すように、ＤＶＤ装置１とＤＶカメラ２とは、そのそれぞれが有するＤＶ端子がデジタルインターフェースケーブルであるＩＥＥＥ１３９４ケーブル３で接続されることにより、１つの情報信号記録システムを構成するようにしている。したがって、ＤＶＤ装置１とＤＶカメラ２との間においては、ＤＶ端子およびＩＥＥＥ１３９４ケーブル３を通じて、映像データや音声データなどの情報信号の他、制御情報などの各種のコマンドの送受も行うことができるようにしている
このようにＤＶＤ装置１とＤＶカメラ２とから構成されるこの実施の形態の情報信号記録システムにおいては、ＤＶカメラ２が、編集対象となる元の映像データと音声データとが記録された記録媒体であるＤＶテープが装填された外部機器であり、ＤＶＤ装置１が、編集後の目的とするシーンの映像データと音声データとを記録媒体であるＤＶＤに記録することができるようにされた情報信号記録装置である。
【００２９】
この実施の形態の情報信号記録システムにおいては、ＤＶＤ装置１がＩＥＥＥ１３９４ＤＶ規格に定められるＡＶＣコマンドを用いることにより、ＤＶＤ装置１側からＤＶカメラ２の再生、早送り、早戻し、一時停止等の制御を行うことができるようにしている。
【００３０】
そして、後述もするように、再生が指示されたＤＶカメラ２からＤＶ端子およびＩＥＥＥ１３９４ケーブル３を通じて、パケッタイズ（パケット化）された映像データ、音声データ、サブコードデータ（ＡＵＸデータ）などからなるＤＶ信号がＤＶＤ装置１に供給される。
【００３１】
ＤＶＤ装置１は、ＤＶコーデック１２８とＤＶ端子に接続されたデジタルインターフェース部（以下、デジタルＩ／Ｆ部と略称する。）１２９とを備え、ＤＶ端子を通じて受け付けたＤＶデータをデジタルＩ／Ｆ１２９で映像データ、音声データ、サブコードデータ（ＡＵＸデータ）に分離し、これらをＤＶコーデック１２８に供給する。
【００３２】
ＤＶコーデック１２８においては、これに供給された映像データと音声データとをデコードしてベースバンドの映像データと音声データとに復元し、これらを後段の処理回路に供給するとともに、サブコードデータ等をシステムコントローラに供給することができるようにしている。
【００３３】
［ＤＶカメラからの情報について］
そして、この実施の形態においては、ＤＶカメラ２からは、ＤＶカメラ２に装填されたＤＶテープ２０に記録されている情報信号である映像データおよび音声データと、これら映像データおよび音声データのＤＶテープ上の記録位置を示す位置情報としてタイムコードとをＤＶ端子を通じてＤＶＤ装置１に供給し、映像データと音声データとを対象にして編集作業を行うことができるようにしている。
【００３４】
すなわち、ＤＶテープには、映像データと音声データの他、タイムコードなどのサブコードデータも記録するようにされている。図２は、ＤＶカメラ２に装填される記録媒体であるＤＶテープ２０へのデータの記録態様について説明するための図である。
【００３５】
ＤＶカメラ２は、デジタルデータとされた映像データと音声データとを、図２に示すように、ＤＶテープ２０の移送方向と交差する方向であって、ＤＶテープ２０に対して斜め方向にトラックとして記録する。この場合、１フレーム分の映像データと音声データとは複数本のトラックで記録される。
【００３６】
そして、各トラック上には、映像データや音声データ等の異なるデータが記録エリアを異にして記録されている。すなわち、図２において、文字ＩＢＧは、インターバルギャップ（緩衝領域）を示しており、この緩衝領域により分けられて、ＩＴＩエリア、音声データエリア、映像データエリア、サブコードエリアのそれぞれが設けられる。
【００３７】
図２において、ＩＴＩエリアは、再生時の回転ヘッドのトラッキングの引き込み用パイロット信号に関する情報などが記録され部分である。音声データエリアは音声データが記録される部分であり、映像データエリアは映像データが記録され部分である。また、サブコードエリアは、当該ＤＶテープ２０の先頭からの時間を示すタイムコードやフレーム番号等のいわゆるサブコードが記録される部分である。
【００３８】
そして、上述のように、サブコードエリアに含まれるタイムコードは、ＤＶテープの先頭を基準とする時間情報であり、例えば、フレーム単位に、ＤＶテープの先頭から何時間、何分、何秒経過した時点のフレームを形成する映像データであるかを明確に特定することができるものである。逆にいえば、タイムコードによって指定されたＤＶテープ上の位置の情報を読み出すこともできるようにされ、後述するように、ＤＶＤ装置１において、種々のダビング機能の実現に利用している。
【００３９】
そして、ＤＶカメラ２においての再生時には、図２に示したように記録されている音声データ、映像データ、タイムコードなどのサブコード情報がＤＶテープから読み出され、パケット化されて、ＤＶ端子を通じて出力され、ＤＶＤ装置１に供給されることになる。
【００４０】
ＤＶＤ装置１においては、ＤＶカメラ２からの映像データおよび音声データと、タイムコードとを対応付けて別々に管理する。例えば、映像データと音声データについては、それらがＤＶテープの先頭から何番目のフレームのものであるかを正確に管理し、また、タイムコードについても、ＤＶテープの先頭から何番目のフレームのものであるかを正確に管理するようにしている。
【００４１】
したがって、映像データにより再生されるフレーム単位の画像を指定すれば、すなわちフレームを指定すれば、そのフレームの映像データと音声データとタイムコードとを特定することができるようにしている。また、タイムコードは、ＤＶテープ上のものであるので、そのタイムコードにより、ＤＶテープ上に記録されている特定のフレームの映像データと音声データとを抽出することもできるようにされる。
【００４２】
そして、この実施の形態のＤＶＤ装置１においては、上述したように、ＤＶテープ上に存在し、ＤＶカメラ２から映像データや音声データとともに提供を受けるタイムコードを利用することによって、使用者にとって使い勝手の良い編集機能を提供するようにしている。
【００４３】
［ＤＶＤ装置の構成について］
図３は、この実施の形態のＤＶＤ装置１の構成例を説明するためのブロック図である。図３において、システムコントローラ１５０は、ＣＰＵ（Ｃｅｎｔｒａｌ  Ｐｒｏｃｅｓｓｉｎｇ  Ｕｎｉｔ）１５１、ＲＯＭ（Ｒｅａｄ  Ｏｎｌｙ  Ｍｅｍｏｒｙ）１５２、ＲＡＭ（Ｒａｎｄｏｍ  Ａｃｃｅｓｓ  Ｍｅｍｏｒｙ）１５３、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）１５４がホストバスを通じて接続されて、マイクロコンピュータの構成とされたものであり、この実施の形態のＤＶＤ装置１の各部を制御するものである。
【００４４】
ここで、ＲＯＭ１５２は、システムコントローラ１５０において実行される各種の処理プログラムや処理に必要になるデータなどが記録されたものである。ＲＡＭ１５３は、処理の途中結果を一時記憶するなど、主に作業領域として用いられるものである。また、ＥＥＰＲＯＭ１５４は、このＤＶＤ装置１の電源が落とされた場合であっても記録されたデータを消滅させることなく保持しておくことができるいわゆる不揮発性メモリであり、種々の設定パラメータや後述する編集情報などを記憶保持するものである。
【００４５】
また、システムコントローラ１５０には、赤外線のリモートコントロール信号（遠隔制御信号（以下、リモコン信号と略称する。））の受光部１５５が接続されている。受光部１５５は、遠隔制御装置（以下、リモコン装置という。）１６０からのリモコン信号を受光し、これを電気信号に変換して、システムコントローラ１５０に供給することができるものである。これにより、リモコン装置１６０から使用者の操作に応じて送出されるリモコン信号に応じた動作を行うようにシステムコントローラ１５０が各部を制御することができるようにしている。
【００４６】
そして、この実施の形態のＤＶＤ装置１は、図３に示すように、アナログ信号の入力端として、地上波のアナログテレビ放送信号を受信、選局する地上波チューナ１０１と、アナログ音声信号の入力端子Ａｕｉｎと、コンポジット映像信号の入力端子Ｃｉｎと、セパレート映像信号の入力端子Ｓｉｎとを備えている。
【００４７】
また、アナログ信号の出力端として、アナログ音声信号の出力端子Ａｕｏｔと、アナログ映像信号の出力端子としてコンポジット映像信号用の出力端子Ｖｏｔ（Ｃ）と、セパレート映像信号用の出力端子Ｖｏｔ（Ｓ）とを備えている。さらに、デジタル信号の入力端として、デジタルテレビ放送信号を受信、選局するデジタルチューナ１１３を備えている。また、デジタル信号の入出力端として、デジタル入出力端子Ｄｉｏと、ＤＶ端子ＤＶｉｏとを備えている。
【００４８】
［記録動作について］
まず、アナログ入力端を通じて供給されるアナログ映像信号とアナログ音声信号とを、このＤＶＤ装置１に装填された記録媒体であるＤＶＤ１１４に記録する場合の動作について説明する。
【００４９】
地上波チューナ１０１の映像出力と音声出力とは入力切換器１０２に供給される。同様に、入力端子Ｃｉｎを通じて外部から入力されるコンポジット映像信号と入力端子Ａｕｉｎを通じて外部から入力される音声信号もまた入力切換器１０２に供給される。入力切換器１０２は、システムコントローラ１５０からの切換指示に従い、地上波チューナ１０１からの映像信号と音声信号とを出力するか、入力端子Ｃｉｎ、Ａｕｉｎを通じて外部から供給された映像信号と音声信号とを出力するかを切り換える。入力切換器１０２から出力される映像信号は、ＹＣ分離回路１０３に供給され、また、入力切換器１０２から出力される音声信号は、Ａ／Ｄ変換器１１０に供給される。
【００５０】
ＹＣ分離回路１０３は、これに供給されたコンポジットの映像信号をＹＣ分離し、ＹＣ分離後の映像信号を入力切換器１０４に供給する。入力切換器１０４には、セパレート映像信号の入力端子Ｓｉｎからのセパレート映像信号も供給されている。入力切換器１０４は、システムコントローラ１６からの切換指示に従い、ＹＣ分離回路１０３からの映像信号を出力するか、入力端子Ｓｉｎを通じて供給されたセパレート映像信号を出力するかを切り換える。
【００５１】
入力切換器１０４から出力される映像信号は、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）デコーダ１０５に供給される。ＮＴＳＣデコーダ１０５は、これに供給された映像信号について、Ａ／Ｄ変換、クロマエンコードの処理を施し、デジタルコンポーネントビデオ信号（以下、画像データという。）に変換し、これをプリ映像信号処理回路１０７に供給する。
【００５２】
また、ＮＴＳＣデコーダ１０５は、入力映像信号の水平同期信号を基準に生成したクロック信号と、同期分離して得た水平同期信号、垂直同期信号、フィールド判別信号とを同期制御回路１０６に供給する。同期制御回路１０６では、これに供給された信号を基準とし、後述する各ブロックに必要なタイミングに変換したクロック信号や同期信号を生成して、各ブロックに供給する。
【００５３】
プリ映像信号処理回路１０７は、これに供給された画像データに対してプリフィルター等の各種映像信号処理を施し、処理後の画像データをＭＰＥＧ（ＭｏｖｉｎｇＰｉｃｔｕｒｅ  Ｅｘｐｅｒｔｓ  Ｇｒｏｕｐ）ビデオエンコーダ１０８とポスト映像信号処理回路１２２とに供給する。
【００５４】
ＭＰＥＧビデオエンコーダ１０８は、プリ映像信号処理回路１０７からの画像データにブロックＤＣＴ（Ｄｉｓｃｒｅｔｅ  Ｃｏｓｉｎｅ  Ｔｒａｎｓｆｏｒｍ：離散コサイン変換）等の符号化処理を施し、映像ＥＳ（Ｅｌｅｍｅｎｔａｒｙ  Ｓｔｒｅａｍ）を生成し、これを多重・分離部１０９に供給する。
【００５５】
一方、入力切換器１０２で選択された音声信号は、Ａ／Ｄ変換器１１０において、デジタル音声データに変換された後、ＭＰＥＧオーディオエンコーダ１１１に供給される。ＭＰＥＧオーディオエンコーダ１１１は、これに供給されたデジタル音声データをＭＰＥＧフォーマットに従いデータ圧縮した後、音声ＥＳを生成し、画像データの場合と同様に、多重・分離部１０９に供給する。
【００５６】
なお、この実施の形態においては、画像データ、音声データともＭＰＥＧ方式でデータ圧縮するようにしているが、他の圧縮方式を用いることもできるし、また、非圧縮のまま処理を進めるようにすることも可能である。
【００５７】
記録時において多重・分離部１０９は、ＭＰＥＧビデオエンコーダ１０８からの映像ＥＳとＭＰＥＧオーディオエンコーダ１１１からの音声ＥＳ及び各種制御信号とを多重化する多重化処理を行うものである。また、再生時において多重・分離部１０９は、ＤＶＤ１１４から読み出されたＴＳ（Ｔｒａｎｓｐｏｒｔ  Ｓｔｒｅａｍ）を映像ＥＳ、音声ＥＳ、各種制御信号に分離する分離処理を行うものである。
【００５８】
そして、この場合、多重・分離部１０９は、これに供給されたＭＰＥＧ方式でデータ圧縮されている映像ＥＳと、音声ＥＳと、各種制御信号とを多重化する多重化処理（たとえばＭＰＥＧシステムのＴＳ（Ｔｒａｎｓｐｏｒｔ  Ｓｔｒｅａｍ）信号の生成）を行い、バッファ制御を行うようにして、映像ＥＳ、音声ＥＳ、各種制御信号からなるＴＳをＤＶＤ１１４に所定の記録フォーマットにしたがって記録する。
【００５９】
ここで、バッファ制御は、連続的に入力されるＴＳ信号を、ＤＶＤ１１４に断続的に送るための制御を行うことである。例えば、ＤＶＤ１１４に対してシーク動作を行っている時は、ＴＳの書き込みができないので、バッファメモリにＴＳ信号を一時的に蓄え、書き込みが可能な状態になった時は、入力のレートより高いレートで書き込みを行うことにより、連続的に入力されるＴＳ信号を途切れることなく記録することができるようにしている。
【００６０】
なお、図３には図示しないが、ＤＶＤ１１４は、システムコントローラ１５０によって駆動制御されるスピンドルモータによって回転駆動され、また、光ピックアップ、２軸アクチュエータ、スレッドモータなどを備えたヘッド部によって、トラッキング制御、やフォーカース制御がなされるレーザ光をＤＶＤに照射し、ＴＳ信号の記録がなされるようにされている。また、この実施の形態においては、バッファ制御処理と記録媒体１１４のプロトコルとしてＩＤＥ（ＩｎｔｅｇｒａｔｅｄＤｒｉｖｅ（Ｄｅｖｉｃｅ）  Ｅｌｅｃｔｒｏｎｉｃｓ）を用いているが、これに限るものではない。
【００６１】
次に、ＤＶ端子ＤＶｉｏを通じて供給されるＤＶ信号をＤＶＤ１１４に記録する場合について説明する。このＤＶ端子ＤＶｉｏには、この実施の形態においては、図１にも示したように、ＤＶカメラ２が接続される。パケット化されてＤＶカメラ２から供給される映像データ、音声データ、タイムコードなどの制御データからなるＤＶ信号は、ＤＶ端子ＤＶｉｏを通じてデジタルＩ／Ｆ部１２９に供給される。
【００６２】
デジタルＩ／Ｆ部１２９は、上述もしたように、これに供給されたＤＶ信号を映像データ、音声データ、タイムコードなどの制御データに分解し、これらをＤＶコーデック１２８に供給する。ＤＶコーデック１２８は、これに供給された映像データと音声データとをデコードして、ベースバンドの元の映像データと音声データとを復元し、この復元した映像データをプリ映像信号処理回路１０７に供給し、復元した音声データをＭＰＥＧオーディオデコーダ１１１に供給し、タイムコードなどの制御データ等は、システムコントローラ１５０に供給する。
【００６３】
プリ映像信号処理回路１０７、ＭＰＥＧオーディオエンコーダ１１１以降の処理は、上述したアナログ映像信号、アナログ音声信号の場合と同じであり、この実施の形態においては、ＭＰＥＧ方式でデータ圧縮して、映像ＥＳ、音声ＥＳを形成した後、多重／分離部１０９において、制御データとともに多重化されてＴＳ信号とされ、これがＤＶＤ１１４に記録されることになる。
【００６４】
また、ＤＶコーデック１２８からのタイムコードなどの制御データは、システムコントローラ１５０に供給され、種々の制御に用いられるほか、タイムコードは、システムコントローラ１５０のＥＥＰＲＯＭ１５４に記録され保持される。この場合、タイムコードは、ひとまとまりの映像データと音声データとからなるどのタイトルに対応するものであるかの対応付けもなされて記憶される。
【００６５】
なお、この明細書において、タイトルという文言は、１つ以上のチャプターの映像と音声とからなるものであり、テレビ放送の場合を例にすれば１つの放送番組に相当し、また、ＤＶカメラでＤＶテープに記録された情報の場合には、基本的には、ＤＶテープ１本に１タイトルの情報が記録されるものとしている。
【００６６】
また、１タイトルを複数に分けた各部分がチャプターであり、ＤＶカメラでＤＶテープに記録された情報の場合には、録画スタート（ＲＥＣスタート）から録画ストップ（ＲＥＣストップ）までに記録された情報を１チャプターとするようにしている。
【００６７】
［再生動作について］
次に、再生動作について説明する。ＤＶＤ１１４は、システムコントローラ１５０により制御されるスピンドルモータによって回転駆動される。また、ＤＶＤ１１４上の所定のアドレス上にヘッド部がシークされ、ＤＶＤ１１４に記録されているＴＳ信号を読み出し、これを多重／分離部１０９に供給する。
【００６８】
多重・分離部１０９では、断続的に入力されるＴＳ信号を、連続的になるようバッファ制御を行った後、分離処理を行う。分離処理においては、ＴＳ信号からＰＥＳ（Ｐａｃｋｅｔｉｚｅｄ  Ｅｌｅｍｅｎｔａｒｙ  Ｓｔｒｅａｍ）を抽出し、さらに映像ＥＳと音声ＥＳに分離する。そして、多重／分離部１０９は、分離した映像ＥＳをＭＰＥＧビデオデコーダ１２１に供給するとともに、分離した音声ＥＳをＭＰＥＧオーディオデコーダ１２５に供給する。
【００６９】
ＭＰＥＧビデオデコーダ１２１は、これに供給された映像ＥＳに対して復号化処理を施し、ベースバンドの画像データを得て、これをポスト映像信号処理回路１２２に供給する。ポスト映像信号処理回路１２２は、切換回路、フィールド巡回型ノイズリデューサー、動き検出、映像信号補間処理回路で構成されており、ＭＰＥＧビデオデコーダ１２１からの画像データと、プリ映像信号処理回路１０７からの画像データとのいずれを処理の対象とするかを切り換えた後、各種処理を施し、処理後の画像データをＯＳＤ（Ｏｎ  Ｓｃｒｅｅｎ  Ｄｉｓｐｌａｙ）部１２３に供給する。
【００７０】
ＯＳＤ部１２３は、画面表示用のグラフィックッス等の生成を行い、画像データに重ねたり、部分的に表示したりする等の処理を施し、処理後の画像データをＮＴＳＣエンコーダ１２４と、ＤＶコーデック１２８に供給する。
【００７１】
ＮＴＳＣエンコーダ２２は、これに供給された画像データ（コンポーネントデジタル信号）をＹＣ信号に変換した後、Ｄ／Ａ変換を行い、アナログのコンポジット映像信号とセパレート映像信号を得て、これらを対応する出力端子Ｖｏｔ（Ｃ）、Ｖｏｔ（Ｓ）から出力する。また、ＤＶコーデック１２８は、これに供給された画像データをＤＶ信号にエンコードし、ＤＶ端子に出力する。
【００７２】
そして、出力端子Ｖｏｔ（Ｃ）、Ｖｏｔ（Ｓ）から出力されたコンポジット映像信号とセパレート映像信号は、このＤＶＤ装置１に接続された外部機器である例えばモニタ受像機に供給され、当該モニタ受像機の表示画面にこれらの映像信号に応じた画像が表示されることになる。また、ＤＶ端子ＤＶｉｏから出力されたＤＶ信号は、これに接続されたＤＶカメラなどの他の外部機器に供給されて利用することができるようにされる。
【００７３】
一方、ＭＰＥＧオーディオデコーダ１２５は、これに供給された音声ＥＳ信号を復号化処理し、ベースバンドの音声信号を得て、これを切換回路１２６に供給する。切換回路１２６は、ＭＰＥＧオーディオデコーダ１２５からの音声データと、Ａ／Ｄ変換器１１０からの音声データとのいずれを処理の対象とするかを切り換える。切換回路１２６から出力された音声データは、Ｄ／Ａ変換器１２７と、ＤＶコーデック１２８とに供給される。
【００７４】
Ｄ／Ａ変換器１２７は、これに供給された音声データをアナログ音声信号に変換し、これをアナログ音声信号の出力端子Ａｕｏｔを通じて出力される。また、ＤＶコーデックは、これに供給された音声データをＤＶ信号にエンコードし、これをＤＶ端子ＤＶｉｏを通じて出力する。
【００７５】
このようにして、アナログ音声信号の出力端子Ｖｏｔから出力された音声信号は、このＤＶＤ装置１に接続されたモニタ受像機のスピーカに供給するようにされて、当該音声信号に応じた音声が、そのスピーカから放音するようにされる。また、ＤＶ端子ＤＶｉｏから出力されたＤＶ信号は、これに接続されたＤＶカメラなどの他の外部機器に供給されて利用することができるようにされる。
【００７６】
［その他の入力端、入出力端を通じて入力、入出力される信号について］
次に、デジタル入出力端子Ｄｉｏを通じて入出力される信号について説明する。例えば、外部のＩＲＤ（Ｉｎｔｅｇｒａｔｅｄ  Ｒｅｃｅｉｖｅｒ  Ｄｅｃｏｄｅｒ）から、ＩＥＥＥ１３９４のようなデジタルインターフェースを介して入力された信号を記録する場合、デジタル信号はデジタルインターフェース回路１１２に入力される。
【００７７】
デジタルインターフェース回路１１２では、これに供給されたデジタル信号を、この実施の形態のＤＶＤ装置１において処理可能な形式のデジタル信号に変換するなど、いわゆるフォーマット変換等の処理を施してＴＳ信号を生成し、これを多重・分離部１０９に供給する。
【００７８】
多重・分離部１０９は、更に制御信号等の解析や生成を行い、上述もしたように、このＤＶＤ装置１で処理可能な形式のＴＳ信号を形成し、これを後段に供給して、ＤＶＤ１１４に記録するようにする。また、これと同時に多重・分離部１０９において、分離処理を行い、ＭＰＥＧビデオデコーダ１２１に映像ＥＳ、ＭＰＥＧオーディオデコーダ１２５に音声ＥＳをそれぞれ供給することにより、アナログ映像信号の出力端子Ｖｏｔ（Ｃ）、Ｖｏｔ（Ｓ）、アナログ音声信号の出力端子Ａｕｏｔから出力するアナログの映像、音声信号を得ることもできる。つまり、記録しながらの再生もできるようにされている。
【００７９】
また、ＤＶＤ１１４から読み出されて、多重・分離回路１０９に供給されたＴＳ信号は、必要に応じて、制御信号の解析、生成を行い、デジタルインターフェース回路１１２にも供給される。デジタルインターフェース回路１１２は、多重・分離部１０９からＴＳ信号の供給を受けたときには、上述した記録時とは逆の変換を行い、送出する形式のデジタル信号に変換し、これをデジタル入出力端子Ｄｉｏを介して出力して、外部機器に供給する。
また、これと同時に多重・分離回路１０９において、ＤＶＤ１１４から読み出したＴＳ信号について分離処理を行い、得られた映像ＥＳ、音声ＥＳをそれぞれＭＰＥＧビデオデコーダ１２１、ＭＰＥＧオーディオデコーダ１２５に供給することによって、上述もしたように、アナログ映像信号、アナログ音声信号を得て、これを出力したり、また、ＤＶ信号を形成して出力したりすることもできるようにされる。
【００８０】
なお、ここでは、デジタル入出力端子Ｄｉｏに接続される外部機器の一例として、ＩＲＤをあげたが、これに限るものではなく、テレビ受像機などのいわゆるＡＶ（オーディオ／ビジュアル）機器やパーソナルコンピュータなどのデジタル入出力を備えた機器を接続することも可能である。
【００８１】
次に、デジタルチューナ１１３について説明する。例えば、日本のＢＳ（Ｂｒｏａｄｃａｓｔｉｎｇ  Ｓａｔｅｌｌｉｔｅ）デジタル放送信号を受信する場合、デジタルチューナ１１３にて選曲されたフルＴＳ信号が多重・分離回路１０９に供給される。多重・分離回路１０９は、デジタル放送特有のスクランブルを解いた後、フルＴＳをパーシャルＴＳに変換し、これをＤＶＤ１１４に記録したり、また、映像ＥＳと音声ＥＳとに分離し、これらをＭＰＥＧビデオデコーダ１２１、ＭＰＥＧオーディオデコーダ１２５に供給することにより、上述したようにして再生したりすることができるようにされる。
【００８２】
また、多重・分離部１０９に内蔵する各種情報のパージング機能により、ＢＳデジタル放送信号に挿入されている電子番組情報（ＥＰＧ：Ｅｌｅｃｔｒｏｎｉｃ  ＰｒｏｇｒａｍＧｕｉｄｅ）を抜き出し、システムコントローラ１５０に供給する。システムコントローラ１５０では、この電子番組情報の解析を行い、ＧＵＩ（Ｇｒａｐｈｉｃａｌ  Ｕｓｅｒ  Ｉｎｔｅｒｆａｃｅ）上に番組情報の表示等を行うことができるようにしている。
【００８３】
次に、地上波ＥＰＧについて説明する。地上波ＥＰＧ用チューナ１３０は、システムコントローラ１５０により制御され、ＥＰＧが重畳されているチャネル（伝送路）の信号を受信し、受信した信号をデータスライサ１３１に供給する。データスライサ１３１では、入力された信号からＥＰＧデータを抽出し、これをシステムコントローラ１５０に供給する。システムコントローラ１５０では、このＥＰＧ信号の解析を行い、ＧＵＩ上に番組情報の表示等を行う。
【００８４】
なお、ＢＳデジタルや地上波放送から取得したＥＰＧデータは、番組評の表示のみならず、タイマー記録や記録済番組のタイトル表示の情報としても使用することができるようにされる。
【００８５】
このように、この実施の形態のＤＶＤ装置は、外部機器からの入力受付機能、地上波放送、ＢＳ放送の受信機能を備え、受け付けた信号を装填されたＤＶＤ１１４に記録したり、また、ＤＶＤ１１４から信号を読み出して再生したりすることができるものである。
【００８６】
なお、ＤＶＤ装置１に装填されている記録媒体をＤＶＤ１１４として説明したが、記録媒体であるＤＶＤは異なるＤＶＤを着脱することが自由にできるようにされていることはいうまでもない。しかし、説明を簡単にするため、このＤＶＤ装置１に装填されて用いられている記録媒体をＤＶＤ１１４としている。
【００８７】
［ＤＶＤ装置１のダビング機能について］
そして、図３を用いて説明したように構成されるこの実施の形態のＤＶＤ装置１は、図１に示したように、ＤＶ端子ＤＶｉｏを通じてＤＶカメラ２が接続され、ＤＶカメラ２に装填されたＤＶテープ２０に記録されている映像や音声をダビングする場合に、単にその全部をダビングすることができるだけでなく、必要なシーンのみを編集するようにしてダビングするなどのこともできるようにされている。
【００８８】
この場合、この実施の形態のＤＶＤ装置１は、図３にも示したように、記録媒体としてはＤＶＤのみの利用が可能であり、ハードディスクなどの他の大容量記録媒体は備えていないので、大容量の記録媒体を作業領域として用いることもなく、また、パーソナルコンピュータなどの装置を介在させることもなく、ＤＶＤ装置１とＤＶカメラ２との間で種々の態様でダビング処理を行うことができるようにしている。以下、この実施の形態のＤＶＤ装置１において実行可能なダビング機能について説明する。
【００８９】
［実行可能なダビング機能の態様について］
図４は、この実施の形態のＤＶＤ装置１において実行可能な複数のダビング機能のそれぞれについて説明するための図である。このＤＶＤ装置１においては、図４に示すように、大きく分けると、ステップＳ１で示される、おまかせダビング（全ダビング）機能と、ステップＳ２で示される幾つかの編集ダビング機能とがある。
【００９０】
おまかせダビング（全ダビング）機能は、ＤＶテープに記録されている映像、音声の全部をＤＶＤにダビングするものである。編集ダビング機能には、図４に示すように、プログラムダビング（以下、ＰＧダビングと略称する。）機能と、ディスク編集ダビング機能と、プログラムデータ編集（以下、ＰＧデータ編集と略称する。）機能と、コピー機能とがある。
【００９１】
ＰＧダビング機能は、ＤＶカメラ２に装填されたＤＶテープに記録されている情報の内、必要なシーンの情報だけをダビングする機能である。具体的には、ＤＶカメラ２から映像データと音声データとタイムコードとの供給を受けて、これら映像データ、音声データによる映像、音声を再生するようにし、１つ以上の目的するシーンのイン（ＩＮ）点（開始点）とアウト（ＯＵＴ）点（終了点）とを順次に指定していくことにより、１つ以上のシーンのイン点とアウト点とからなるＰＧデータを作成する（ステップＳ２１）。
【００９２】
この場合、イン点とアウト点とを特定する情報としては、イン点に対応する映像データ、音声データのＤＶテープ上の記録位置を示すタイムコードとアウト点に対応する映像データ、音声データのＤＶテープ上の記録位置を示すタイムコードとを用いるようにしている。
【００９３】
そして、ＤＶＤ装置１は、指定したイン点、アウト点で特定されるシーンの映像データと音声データとの提供をＤＶカメラ２に対して要求し、この指定したイン点、アウト点で特定されるシーンの映像データと音声データとの供給を受けて、これをＤＶＤにダビングし（ステップＳ２２）、ＤＶＤ上に目的とする１つ以上のシーンからなる新たなタイトル（編集タイトル）を形成する（ステップＳ２３）。
【００９４】
このように、ＤＶテープに記録された情報の全部をＤＶＤに記録することなく、初めはイン点、アウト点からなるＰＧデータのみを作成するようにし、その作成したＰＧデータを用いて、必要なシーンのみをＤＶテープからＤＶＤにダビングすることができるようにしている。
【００９５】
なお、上述もしたように、タイトルは、１つ以上のチャプターからなるものであり、ＤＶカメラでＤＶテープに記録された情報の場合には、基本的には、ＤＶテープ１本に１タイトルの情報が記録されるものとしている。また、１タイトルを複数に分けた各部分をチャプターと呼び、ＤＶカメラでＤＶテープに記録された情報の場合には、録画スタートから録画ストップまでに記録された情報を１チャプターとしている。
【００９６】
また、ディスク編集ダビング機能は、ＤＶカメラ２に装填されたＤＶテープに記録されている情報の全部を一旦ＤＶＤに記録し、ＤＶＤのランダムアクセス性を利用して、必要なシーンだけを効率よく選択し、その必要なシーンだけを再生できるようにするものである。
【００９７】
具体的には、ＤＶカメラ２から映像データと音声データとタイムコードとの供給を受けて、これら映像データ、音声データをＤＶＤに記録するとともに、タイムコードはＤＶＤ装置内のメモリ（例えば、ＥＥＰＲＯＭ１５４）に記録保持し（ステップＳ２４）、ＤＶＤにＤＶテープと同じ内容のタイトルを作成する（ステップＳ２５）。そして、ＤＶＤに記録した映像データと音声データとを再生するようにし、１つ以上の目的するシーンのイン点（開始点）とアウト点（終了点）とを順次に指定していく（ステップＳ２６）。
【００９８】
この場合にも、イン点とアウト点とを特定する情報としては、イン点に対応する映像データ、音声データのＤＶテープ上の記録位置を示すタイムコードとアウト点に対応する映像データ、音声データのＤＶテープ上の記録位置を示すタイムコードとが用いられる。
【００９９】
そして、ＤＶＤ装置１は、指定したイン点、アウト点のタイムコードなどからなる再生リスト（以下、ＰＬ（Ｐｌａｙ  Ｌｉｓｔ）と略称する。）を生成するか否かを判断し（ステップＳ２７）、使用者から生成が指示されたときには、少なくとも指定されたイン点、アウト点からなるＰＬをＤＶＤ上に生成することにより、それらイン点、アウト点からなるシーンの再生可能なタイトルを作成するようにする（ステップＳ２８）。もちろんＰＬをＤＶＤ上に作成しないようにすることもできるようにされる。
【０１００】
このように、ＰＬをＤＶＤに作成しておくことにより、ＤＶＤに記録されたタイトルの中から、ＰＬで指示されるシーンだけを再生することができるようにされる。また、ＰＬを形成するためのＰＧデータを用いて、同じ内容のタイトルを複数のＤＶＤに形成することを簡単に行うこともできるようにされる。
【０１０１】
また、ＰＧデータ編集機能は、おまかせダビング機能、ＰＧダビング機能、ディスク編集ダビング機能を用いて、ＤＶＤ上にＤＶカメラ２から提供を受けてダビングした元データが残っている場合に、イン点、アウト点を指定していくことにより作成したＰＧデータを編集したり、新たにＰＧデータを作成したりするものである。
【０１０２】
この機能を用いることにより、必要なシーンを追加したり、不要なシーンを削除したりするなど、イン点、アウト点からなる既に作成されているＰＧデータを変更して、必要なシーンのイン点、アウト点からなるＰＧデータを作成したり、また、新たなＰＧデータを作成することもできるようにされる。
【０１０３】
この場合には、必要なシーンのイン点、アウト点を指定したり、あるいは、不要なシーンのイン点、アウト点を削除したりするなどして、ＰＧデータの編集を行う（ステップＳ２６）。
【０１０４】
そして、ＤＶＤ装置１は、指定したイン点、アウト点のタイムコードなどからなるＰＬ（Ｐｌａｙ  Ｌｉｓｔ）を生成するか否かを判断し（ステップＳ２７）、使用者から生成が指示されたときには、指定されたイン点、アウト点からなるＰＬをＤＶＤ上に生成することにより、それらイン点、アウト点からなるシーンの再生可能なタイトルを作成するようにする（ステップＳ２８）。もちろんＰＬを作成しないこともできるようにされる。
【０１０５】
このＰＧデータ編集機能を用いることにより、ＤＶＤ上に元データが存在すれば、シーン追加やシーン削除を簡単に行って、目的とするシーンからなるＰＧデータを形成することができるし、また、全く新たにＰＧデータを作成することもできるようにされる。
【０１０６】
また、コピー機能（ＤＶダビング機能）は、既に作成されているイン点、アウト点からなるＰＧデータを用いて、必要なシーンのみからなるタイトルをＤＶＤにダビングするためのものである。すなわち、既に作成されているＰＧデータの内のどのＰＧデータを用いるかの選択入力を受け付ける（ステップＳ２９）。
【０１０７】
そして、その選択されたＰＧデータにしたがって、ＤＶカメラ２に目的とするシーンの映像データと音声データとの提供を要求し、提供される映像データと音声データとをＤＶＤにダビングして（ステップＳ３０）、ＤＶＤ上に目的とするシーンからなる新たなタイトルを形成する。
【０１０８】
このコピー機能を用いることにより、編集作業を行って得たＰＧデータに基づいて、同じ内容のＤＶＤをＰＧデータの選択とコピー実行という２つの操作だけで作成することができ、同じ内容の複数のＤＶＤを簡単に作成することができるようにされる。
【０１０９】
［各ダビング機能の詳細について］
［おまかせダビング（全ダビング）機能について］
図５は、おまかせダビング機能について説明するための図である。図５Ａは、この実施の形態のＤＶＤ装置１のＤＶ端子ＤＶｉｏに接続されたＤＶカメラ２のＤＶテープに記録されている映像や音声などからなる情報を示している。図５Ａにおいて、ｇａｐ（ギャップ）点は、録画時間（ＲｅｃＴｉｍｅ）の不連続点を示しており、例えば、録画が停止された後、次に録画が再開された位置に対応している。したがって、この図５に示す例の場合には、ＤＶテープ上には、６つのチャプター（Ｃｈａｐｔｅｒ）部分からなる１つのタイトルが記録されていることになる。
【０１１０】
そして、この実施の形態のＤＶＤ装置１において、おまかせダビング機能の実行が選択されると、例えば、ＤＶＤ装置１がデジタルＩ／Ｆ３を通じてＤＶカメラ２を制御し、ＤＶテープに記録されているデータの全部の提供を要求し、ＤＶＤ装置１に装填されたＤＶＤ１１４には、図５Ｂに示すように、ＤＶテープに記録されている映像データ、音声データの全情報（１つのタイトル）がダビングされる。
【０１１１】
また、ＤＶカメラ２から映像データや音声データとともに供給されるタイムコードは、この実施の形態においては、各フレームの画像を形成する映像データに対応するように例えばフレーム単位でＤＶＤ装置１のメモリで有る例えばＥＥＰＲＯＭ１５４に記録される。また、ＤＶテープの先頭の情報が書き込まれたＤＶＤ１１４上の位置を示す情報と、各ギャップ点の情報が書き込まれたＤＶＤ１１４上の位置を示す情報とがエントリーポイントとしてＤＶＤ装置１のＥＥＰＲＯＭ１５４に記録される。
【０１１２】
このエントリーポイントの情報により、ＤＶＤ装置１のシステムコントローラ１５０は、ＤＶＤ１１４から各チャプターの先頭のフレームを形成する映像データを読み出し、これを再生して例えばサムネイル画像として表示するとともに、選択可能にしておくことにより、使用者が目的とする再生ポイントを迅速に探し出すなどのことができるようにしている。
【０１１３】
このように、おまかせダビング機能は、ＤＶテープ上の映像データや音声データの全部を物理的にダビングする機能である。図５Ｂにおいて、文字（ＯＲＧ）は、ＤＶＤ上に物理的に記録された原形データ（Ｏｒｉｇｉｎａｌ  ｄａｔａ）であることを示すものである。
【０１１４】
もちろん、ダビングした映像データ、音声データのＤＶテープ上の記録位置を示すタイムコードは、上述したようにフレーム単位にＤＶＤ装置１のＥＥＰＲＯＭ１５４に記録保持されるので、上述したＰＧデータ編集機能を用いて、必要なシーンを指定して新たなＰＧデータを作成することによって、必要なシーンのみからなる編集タイトルを形成することもできるようにされる。
【０１１５】
［ＰＧ（プログラム）ダビング機能について］
図６は、ＰＧダビング機能について説明するための図である。図６Ａは、この実施の形態のＤＶＤ装置１のＤＶ端子ＤＶｉｏに接続されたＤＶカメラ２のＤＶテープに記録されている映像や音声などからなるタイトルを示している。図６Ａにおいても、ｇａｐ（ギャップ）点は、録画時間（ＲｅｃＴｉｍｅ）の不連続点を示しており、例えば、録画が停止された後、次に録画が再開された位置に対応している。
【０１１６】
そして、この実施の形態のＤＶＤ装置１において、ＰＧダビング機能の実行が選択されると、ＤＶＤ装置１の使用者は、ＤＶＤ装置１のリモコン装置１６０を操作し、ＤＶＤ装置１およびＩＥＥＥ１３９４ケーブル３を通じて、ＤＶ端子ＤＶｉｏに接続されたＤＶカメラ２を制御して、ＤＶカメラ２を再生動作させ、ＤＶカメラ２から映像データ、音声データ、タイムコードとの供給を受けるようにする。
【０１１７】
供給された映像データ、音声データ、タイムコードなどは、上述もしたように、ＤＶＤ装置１のデジタルＩ／Ｆ部１２９、ＤＶコーデック１２８を通じて受け付けられる。そして、映像データについては、ＮＴＳＣエンコーダ１２４、出力端子Ｖｏｔ（Ｃ）、Ｖｏｔ（Ｓ）を通じて出力され、音声データについては、Ｄ／Ａ変換部１２７、出力端子Ａｕｏｔを通じて出力されて、例えば、これらの出力端子を通じてこのＤＶＤ装置１に接続されたモニタ受像機に供給され、再生画像、再生音声を視聴することができるようにされる。
【０１１８】
そして、ＤＶＤ装置１のリモコン装置１６０を操作することにより、ＤＶＤ装置１、ＩＥＥＥ１３９４ケーブル３を通じてＤＶカメラ２を制御して、再生、早送り、巻き戻し、一時停止等の各動作を行うようにして、目的とするシーンの先頭を検索し、その目的とするシーンの先頭が検出できたときには、その位置をイン点するように入力操作を行う。同様にして、その目的とするシーンの末尾を検索し、その目的とするシーンの末尾が検出できたときには、その位置をアウト点とするように入力操作を行う。
【０１１９】
そして、イン点の入力を受け付けた時点において再生されていたフレームの画像を形成する映像データの位置を示すタイムコードをイン点の情報として保持し、また、アウト点の入力を受け付けた時点において再生されていたフレームの画像を形成する映像データの位置を示すタイムコードをアウト点の情報として保持するようにする。
【０１２０】
このようにして、１つ以上の目的とするシーンのイン点、アウト点を設定していくことにより、目的とする１つ以上のシーンのイン点、アウト点とからなるＰＧデータを作成する。この図６に示した例の場合には、図６において点線の四角で囲んで示したように、ＩＮ１（イン点）〜ＯＵＴ１（アウト点）までのシーンと、ＩＮ２（イン点）〜ＯＵＴ２（アウト点）までのシーンの２つのシーンからなるＰＧデータが、ＤＶＤ装置１のＥＥＰＲＯＭ１５４に記録される。
【０１２１】
このようにしてＰＧデータを作成した後、この作成したＰＧデータを用いてダビング処理を行うようにすると、ＤＶＤ装置１は、ＤＶカメラ２に対して、ＩＮ１（イン点）〜ＯＵＴ１（アウト点）までのシーンと、ＩＮ２（イン点）〜ＯＵＴ２（アウト点）までのシーンの提供を順次に要求し、これに応じて、ＤＶカメラ２から送信されてくる映像データと音声データとタイムコードとを受信して、ＤＶＤ１１４に記録する。
【０１２２】
これにより、ＤＶＤ１１４には、図６Ｂに示すように、図６において、横矢印で示したＩＮ１（イン点）〜ＯＵＴ１（アウト点）までのシーンと、ＩＮ２（イン点）〜ＯＵＴ２（アウト点）までのシーンの映像データと音声データとがダビングされ、編集タイトルが記録されることになる。
【０１２３】
そして、このＰＧダビング機能の場合には、図６Ｂに示すように、イン点およびギャップ（ｇａｐ）点をエントリーポイントとして、ＤＶＤ装置１のＥＥＰＲＯＭ１５４に記録保持する。このエントリーポイントの情報により、上述もしたように、ＤＶＤ装置１のシステムコントローラ１５０は、ＤＶＤ１１４から各チャプターの先頭のフレームを形成する映像データを読み出し、これを再生して例えばサムネイル画像として表示するとともに、選択可能にしておくことにより、使用者が目的とする再生ポイントを迅速に探し出すなどのことができるようにしている。
【０１２４】
このように、ＰＧダビング機能は、ＤＶテープ上の必要なシーンの映像データや音声データのみをＤＶＤにダビングすることができる。しかも、最終的にダビングを行うまでは、ＤＶテープに記録されている情報が、ＤＶＤ装置１に装填されたＤＶＤ１１４に記録されることもないので、大きな記録媒体の作業領域を用いなくても、編集作業を行ってＤＶテープに記録されている情報の中から、目的とするシーンの情報だけをダビングすることができ利用にされる。また、図６Ｂにおいても、文字（ＯＲＧ）は、ＤＶＤ上に物理的に記録された原形データ（Ｏｒｉｇｉｎａｌ  ｄａｔａ）となるものであることを示すものである。
【０１２５】
［ディスク編集ダビング機能について］
図７は、ディスク編集ダビング機能について説明するための図である。図７Ａは、この実施の形態のＤＶＤ装置１のＤＶ端子ＤＶｉｏに接続されたＤＶカメラ２のＤＶテープに記録されている映像や音声などからなる情報を示している。図７Ａにおいても、ｇａｐ（ギャップ）点は、録画時間（ＲｅｃＴｉｍｅ）の不連続点を示しており、例えば、録画が停止された後、次に録画が再開された位置に対応している。
【０１２６】
そして、この実施の形態のＤＶＤ装置１において、ディスク編集ダビング機能の実行が選択されると、まず、ＤＶＤ装置１がデジタルＩ／Ｆ３を通じてＤＶカメラ２を制御し、ＤＶテープに記録されているデータの全部の提供を要求し、ＤＶＤ装置１に装填されたＤＶＤ１１４には、図７Ｂに示すように、ＤＶテープに記録されている映像データ、音声データの全情報がダビングされる。
【０１２７】
また、ＤＶカメラ２から映像データや音声データとともに供給されるタイムコードは、上述した、おまかせダビング機能を用いた場合と同様に、この実施の形態においては、各フレームの画像を形成する映像データに対応するように例えばフレーム単位でＤＶＤ装置１のメモリである例えばＥＥＰＲＯＭ１５４に記録される。また、ＤＶテープの先頭の情報が書き込まれたＤＶＤ１１４上の位置を示す情報と、各ギャップ点の情報が書き込まれたＤＶＤ１１４上の位置を示す情報とがエントリーポイントとしてＤＶＤ装置１のＥＥＰＲＯＭ１５４に記録される。
【０１２８】
このエントリーポイントの情報により、ＤＶＤ装置１のシステムコントローラ１５０は、ＤＶＤ１１４から各チャプターの先頭のフレームを形成する映像データを読み出し、これを再生して例えばサムネイル画像として表示するとともに、これを選択可能にしておくことにより、使用者が目的とする再生ポイントを迅速に探し出すなどのことができるようにしている。
【０１２９】
そして、このディスク編集ダビング機能の場合には、ＤＶＤ装置１に装填されたＤＶＤ１１４にダビングされた映像データ、音声データを再生するようにし、早送り、早戻し、一時停止等の機能を用いて、ＤＶＤ１１４にダビングされた情報について、目的とする１つ以上のシーンの先頭と末尾を検索し、イン点とアウト点を設定していく。この段階では、ＤＶカメラ２は全く使用されないので、ＤＶＤ装置１に接続されていなくてもよい。
【０１３０】
図７に示した例の場合には、図７Ｂに上側に、点線の四角で囲んだように、ＩＮ１（イン点）〜ＯＵＴ１（アウト点）までのシーンと、ＩＮ２（イン点）〜ＯＵＴ２（アウト点）までのシーンの２つのシーンが選択するようにされ、これらＩＮ１、ＯＵＴ１、ＩＮ２、ＯＵＴ２の位置の１フレーム分の画像を形成する映像データが記録されているＤＶテープ上の位置を示すタイムコードがＰＧデータとして、ＤＶＤ装置１のＥＥＰＲＯＭ１５４に記録される。
【０１３１】
そして、このディスク編集ダビングの場合には、ＰＬ（再生リスト）を形成するようにする指示をＤＶＤ装置１に対して与えると、ＤＶＤ装置１のシステムコントローラ１５０は、ＥＥＰＲＯＭ１５４に記録したＰＧデータに基づいて、各イン点、アウト点に対応する位置の映像データ、音声データが記録されているＤＶＤ１１４上の記録位置からなるＰＬをＤＶＤ上に生成する。
【０１３２】
このＰＬに基づいて、ＤＶＤ装置１は、ＤＶＤ１１４に記録された映像データ、音声データのうち、イン点、アウト点によって選択した、目的とするシーン、この図７の場合には、図７Ｃに示すように、シーン１とシーン２とだけを再生するようにすることができるようにしている。
【０１３３】
すなわち、図７を用いて説明したディスク編集ダビングの場合、図７Ｃに示したイン点、アウト点によって選択した目的とするシーンであるシーン１、シーン２からなる映像データ、音声データは、このようなデータの集まりがＤＶＤ上に実際に形成されるのではなく、ＤＶＤ１１４にダビングされた情報の中から、ＰＧデータやＰＬ（再生リスト）に従って、仮想的に形成されるものである。
【０１３４】
そして、図６を用いて説明したＰＧダビングの場合にも、また、図７を用いて説明したディスク編集ダビングの場合にも、目的とするシーンのＤＶテープ上の記録位置であるイン点、アウト点の情報からなるＰＧデータが作成され、これがＤＶＤ装置１のＥＥＰＲＯＭ１５４に記憶保持される。
【０１３５】
したがって、このＰＧデータを用いることにより、ＤＶカメラ２から目的とするシーンの提供だけを受けるようにして、同じ内容の映像データ、音声データを記録したＤＶＤを自動的に作成することができるようにされる。つまり、編集作業を複数回行わなくても、また、もう１台ＤＶＤ装置を用意したり、パーソナルコンピュータを介在させたりすることなく、同じ内容の情報を記録したＤＶＤを複数作成することができるようにされる。
【０１３６】
［各ダビング機能のまとめ］
図５、図６、図７を用いて説明した、おまかせダビング機能、ＰＧダビング機能、ディスク編集ダビング機能のそれぞれについて、その機能をわかりやすく図示すると、図８のように示すことができる。
【０１３７】
図８（Ａ）は、おまかせダビング機能についての説明図である。図８（Ａ）に示すように、おまかせダビング機能の場合には、ＤＶカメラ２に装填されたＤＶテープ２０に記録されている映像、音声からなる１つのタイトルＸを、そのままＤＶＤ装置１に装填された例えばＤＶＤ１０にダビングする。この場合、タイトルＸについてのＤＶテープ２０上の記録位置を示すタイムコードの全部がＤＶＤ装置１のメモリ１５４に記録、保持される。
【０１３８】
図８（Ｂ）は、ＰＧダビング機能についての説明図である。図８（Ｂ）に示すように、ＰＧダビング機能の場合には、ＤＶカメラ２に装填されたＤＶテープ２０に記録されている映像、音声からなる１つのタイトルＸについての映像データ、音声データ、タイムコードの提供を受けて、必要なシーンからなる新たなタイトルＸ１の各シーンのイン点、アウト点からなるＰＧデータをＤＶＤ装置１のＥＥＰＲＯＭ１５４などのメモリに作成する。このとき、ＤＶカメラ２からの映像データ、音声データはＤＶＤ装置１に装填されたＤＶＤ１０には記録されない。
【０１３９】
そして、必要な全てのシーンのイン点、アウト点とを指定し終え、ＰＧデータが形成された後に、この形成したＰＧデータを用いて、必要なシーンのみの提供をＤＶＤ装置１からＤＶカメラ２に要求し、この要求に応じてＤＶカメラ２から提供される新たなタイトルＸ１の映像データと音声データとをＤＶＤ装置１に装填されたＤＶＤ１０に記録する。
【０１４０】
このように、ＰＧダビング機能は、まず、必要なシーンのイン点、アウト点からなるＰＧデータを作成し、この作成したＰＧデータに基づいて、必要なシーンのみからなる新たなタイトルの映像データと音声データとをＤＶＤ装置１に装填されたＤＶＤにダビングするものである。この場合には、映像データ、音声データは、形成されたＰＧデータに基づいて最後にダビングされるので、ＤＶカメラ２からの映像データ、音声データを記憶する中間記録媒体を用いることもない。
【０１４１】
図８（Ｃ）は、ディスク編集ダビング機能についての説明図である。図８（Ｃ）に示すように、ディスク編集ダビング機能の場合には、まず、ＤＶカメラ２に装填されたＤＶテープ２０に記録されている映像、音声からなる１つのタイトルＸを、そのままＤＶＤ装置１に装填された例えばＤＶＤ１０にダビングする。この場合、タイトルＸについてのＤＶテープ２０上の記録位置を示すタイムコードの全部がＤＶＤ装置１のメモリ１５４に記録、保持される。
【０１４２】
そして、ＤＶＤ装置１において、ＤＶＤ１０に記録したタイトルＸについて再生、早送り、早戻し、一時停止、停止などを行うようにして、必要なシーンからなる新たなタイトルＸ１の各シーンのイン点、アウト点からなるＰＧデータをＤＶＤ装置１のＥＥＰＲＯＭ１５４などのメモリに作成する。この場合、タイトルＸは既にＤＶＤ１０にダビングされているので、ＤＶカメラ２は接続されていなくてもよい。
【０１４３】
そして、作成したＰＧデータに基づいて、指定されたシーンの映像データ、音声データが記録されているＤＶＤ１０上の記録位置を示す情報からなるＰＬ（再生リスト）をＤＶＤ上に作成することにより、このＰＬを用いて、ＤＶＤ１０に記録されているタイトルＸの内の目的とするシーンのみを再生するようにすることによって、目的とするシーンのみからなるタイトルＸ１を再生することもできるようにされる。
【０１４４】
このディスク編集ダビング機能の場合には、ＤＶカメラのＤＶテープから目的とするタイトルを構成する映像データと音声データとを全部、ＤＶＤ装置１のＤＶＤに記録した後においては、ＤＶＤ装置１だけの閉じた環境で目的とするシーンのみからなる新たなタイトル（編集タイトル）を形成することができるようにされる。この場合、ＤＶＤは、ランダムアクセスが可能であるので、目的とするシーンの検索を容易に行うことができる。
【０１４５】
そして、上述した各ダビング機能を用いて、ＤＶカメラ２からＤＶＤ装置１に取り込んだＤＶテープ上のタイムコードや作成したＰＧデータを用いることによって、ＰＧデータ編集機能やコピー機能を実現することができる。
【０１４６】
図９は、ＰＧデータ編集機能についての説明図である。このＰＧデータ編集機能の場合には、おまかせダビング機能、ＰＧダビング機能、ディスク編集ダビング機能を用いた場合には、図８に示したように、編集対象のタイトルＸ、あるいは、編集されて形成された編集タイトルＸ１などの編集対象とすることができる原形タイトルとなるものがＤＶＤに記録されるとともに、このタイトルの各フレーム毎のタイムコードがＤＶＤ装置１のＥＥＰＲＯＭ１５４などのメモリに記憶保持されている。
【０１４７】
このため、これらを利用することによって、図９に示すように、１つ以上の必要なシーンからなら新たなタイトルＸ２を構成する各信号のイン点とアウト点とからなる新たなＰＧデータを形成するなどのことができるようにされる。そして、このＰＧデータに基づいて、タイトルＸ２を構成する各シーンのＤＶＤ１０上の位置情報からなるＰＬ（再生リスト）をＤＶＤ上に作成し、ＤＶＤ装置１内のメモリ上のＰＧデータやＤＶＤ上のＰＬを用いることにより、ＤＶＤ１０に記録されたタイトルＸのうちの新たなタイトルＸ２にかかる部分のみを再生するようにして、新たなタイトルＸ２を再生することができるようにされる。
【０１４８】
また、ＤＶカメラ２からダビングしたタイトルＸに基づいて既に作成したタイトルＸ１についてのＰＧデータに対して、シーンの削除やシーンの追加を行って、新たなタイトルのＰＧデータを形成することも可能である。
【０１４９】
図１０は、コピー機能についての説明図である。図１０（Ａ）に示すように、ＤＶカメラ２に装填されたＤＶテープ２０にタイトルＸが記録されており、また、上述したＰＧダビング機能、あるいは、ディスク編集ダビング機能、あるいは、ＰＧデータ編集機能が用いられて、編集作業が行われ、タイトルＸの内の必要なシーンのみからなる新たなタイトルＸ１のＰＧデータが既に作成されている場合であって、ＤＶＤ装置１に新たに装填されたＤＶＤ１０ＡにタイトルＸ１の映像データと音声データとをコピーする場合にコピー機能が用いられる。
【０１５０】
コピー機能の場合には、ＤＶＤ装置１のＥＥＰＲＯＭ１５４などのメモリに記録されているタイトルＸ１のＰＧデータに基づいて、タイトルＸ１を構成するシーンの映像データと音声データの提供をＤＶＤ装置１からＤＶカメラ２に要求し、図１０（Ｂ）に示すように、ＤＶカメラ２からタイトルＸ１を構成する映像データと音声データとの供給を受けて、これをＤＶＤ装置１に新たに装填されたＤＶＤ１０Ａに記録する。
【０１５１】
このように、コピー機能の場合には、既に作成されたＰＧデータを用いることによって、簡単に同じ内容のＤＶＤを複数作成することができるようにされる。
【０１５２】
［編集データの具体例について］
次に、上述した各編集機能を用いた場合にＤＶＤ装置１のメモリに形成されるＰＧデータ等からなる編集データの詳細について説明する。この編集データは、上述もしたように、ＰＧダビング機能、ディスク編集ダビング機能を用いた場合に形成されるＰＧデータ等のデータを備えるものである。以下においては、ＰＧダビング機能、ディスク編集ダビング機能、ＰＧデータ編集機能を用いた場合を例にして、形成される編集データの詳細について説明する。
【０１５３】
［ＰＧダビング機能の場合に形成される編集データについて］
図１１、図１２は、ＰＧダビング機能を用いた場合に、ＤＶＤ装置１のメモリ、この実施の形態においては例えばＥＥＰＲＯＭ１５４に形成される編集データについて説明するための図である。ここでは、図１１Ａに示すように、ＤＶカメラ２に装填されたＤＶテープに再生時間にして１時間２０分間分のタイトルの映像データ、音声データが記録されているとする。
【０１５４】
このうち、図１１Ｂに示すように、当該タイトルの先頭から１５分３０秒後の時点から当該タイトルの先頭から４０分後の時点までの２４分３０秒間のシーンａと、当該タイトルの先頭から５５分４０秒後の時点から当該タイトルの先頭から１時間１０分後の時点までの１４分２０秒間のシーンｂとからなる新たなタイトルを形成する場合を例にして説明する。
【０１５５】
この場合には、ＤＶカメラ２から供給されるタイトルの映像データ、音声データを再生するようにして、目的とするシーンａとシーンｂを検索し、シーンａの先頭である当該タイトルの先頭から１５分３０秒後の時点をシーンａのイン点とし、また、当該タイトルの先頭から４０分後の時点をシーンａのアウト点として指定する。同様にして、シーンｂの先頭である当該タイトルの先頭から５５分４０秒後の時点をシーンｂのイン点とし、また、当該タイトルの先頭から１時間１０分後の時点をシーンｂのアウト点として指定する。
【０１５６】
この作業（Ｓｔｅｐ１の処理）を行うことによって、ＤＶＤ装置１のＥＥＰＲＯＭ１５４には、図１１Ｃに示す編集データが形成される。編集データは、図１１Ｃに示したように、実タイトルデータと、対応タイトルデータと、ＰＬ  ＰＧデータとからなっている。
【０１５７】
実タイトルデータは、実タイトル名、編集日時、編集後タイトルの積算時間からなるものであり、主に、編集対象となった元のタイトルの出所を示すものとして用いられる。
【０１５８】
ここで、実タイトル名は、どのような機器により、いつ記録されたタイトルかを示す情報であり、図１１Ｃに示した編集データにおいては、ＤＶカメラにより、２００１年１０月１９日、午前１０時に記録されたタイトルであることを示す“（ＤＶＣａｐｔｕｒｅ  ２００１／１０／１９  １０：００）”という情報が記録されている。
【０１５９】
編集日時は、当該実タイトルを用いて編集作業を行った日時を示す情報であり、図１１Ｃに示した編集データにおいては、２００２年４月２日、午後３時３０分２０秒に編集を行ったことを示す“（２００２／０４／０２  １５：３０：２０）”という情報が記録されている。
【０１６０】
積算時間は、編集によって新たに形成したタイトルの再生に係る時間を示す情報であり、図１１Ｃに示した編集データにおいては、編集後の新たなタイトルの再生に係る時間は、３８分５０秒であることを示す“００：３８：５０”という情報が記録されている。
【０１６１】
次に、対応タイトルデータであるが、これは、編集作業によって、ＤＶＤ上に新たに形成したタイトルを特定するために用いられるものであり、この実施の形態においては、作成日時とタイトル長とからなっている。ここで、作成日時は、実タイトルデータ欄の編集日時と同じであり、ＤＶＤ上に形成したタイトルは、何時作成されたものであるかを示す情報である。また、タイトル長は、実タイトルデータ欄の積算時間と同じであり、ＤＶＤ上に新たに形成したタイトルの再生に係る総時間を示すものである。対応タイトルデータは、ＤＶＤに新たなタイトルを実際に作成した場合に記録されることになる。
【０１６２】
ＰＬ  ＰＧデータは、図１１Ｃに示すように、編集の対象となった外部機器の記録媒体上に存在する実タイトルについての実タイトル情報と、ＤＶＤ上に新たに形成されるタイトルについての仮想タイトル情報とからなっている。
【０１６３】
この例の場合には、また、目的とするシーンのイン点とアウト点とを指定しただけであるので、図１１Ｃに示した編集データにおいては、実タイトル情報の欄のシーンナンバー（図においてはシーン＃と記載。）が、１番のシーンａのイン点のタイムコード（００：１５：３０）とアウト点のタイムコード（００：４０：００）と、２番目のシーンｂのイン点のタイムコード（００：５５：４０）とアウト点のタイムコード（０１：１０：００）が記録されている。そして、この実タイトル情報の欄に記録される各シーンのイン点とアウト点との情報により、上述したＰＧデータが形成される。
【０１６４】
そして、形成されたＰＧデータを用いて、図１２Ａに示すように、ＤＶカメラ２のＤＶテープに記録されているタイトルの内のシーンａ、シーンｂからなる新たなタイトルを図１２Ｂに示すようにＤＶＤ装置１に装填されたＤＶＤ上に記録するダビング処理（Ｓｔｅｐ２の処理）を行うと、図１２Ｄに示すように、仮想タイトル情報の欄に、ＤＶＤ装置１に装填されているＤＶＤに実際に記録されたシーンａ、シーンｂのＤＶＤ上の記録位置を示すイン点とアウト点の情報が記録される。
【０１６５】
図１２Ｄの場合には、実際にＤＶＤ上に記録されたシーンａ、シーンｂの記録位置に従って、仮想タイトル情報の欄のシーンナンバー（図においてはシーン＃と記載。）が、１番のシーンａのイン点のＤＶＤ上のタイムコード（００：００：００）とアウト点のタイムコード（００：２４：３０）と、２番目のシーンｂのイン点のタイムコード（００：２４：３０）とアウト点のタイムコード（００：３８：５０）が記録されている。
【０１６６】
そして、この仮想タイトル情報の欄に記録される各シーンのイン点とアウト点との情報により、ＤＶＤに記録することになる上述したＰＬ（再生リスト）が形成される。このＰＧダビング機能の場合には、後述するディスク編集機能の場合とは異なり、ＤＶテープからＤＶＤ上に実際にダビングされる情報と、編集されて、実際に再生するようにされる情報（仮想ＰＬ）とが図１２Ｂ、図１２Ｃに示すように一致しているので、この仮想タイトル情報に基づいて、編集処理後のタイトルを再生することができるようにされる。
【０１６７】
また、対応タイトルデータ欄には、図１２Ｄに示すように、作成日時として、“（２００２／０４／０２  １５：３０：２０）”という情報が記録され、タイトル長として、“００：３８：５０”という情報が記録されている。これら作成日時と、タイトル長は、実タイトルデータ欄の編集日時、積算時間と一致する情報である。
【０１６８】
そして、対応タイトルデータ欄の情報、および、仮想タイトル情報の欄の書く情報は、ＤＶテープからＤＶＤへのダビング直後の値を保存することになる。また、対応タイトルデータ欄の情報は、ＰＧデータ編集を行う場合に、ＰＧデータとＤＶＤ上のタイトルとのマッチングを行う場合に用いられ、一致するタイトルが見つからない場合には、ＰＧデータ編集、プレビューが不可となる。
【０１６９】
［ディスク編集ダビング機能の場合に形成される編集データについて］
図１３、図１４は、ディスク編集ダビング機能を用いた場合に、ＤＶＤ装置１のメモリ、この実施の形態においてはＥＥＰＲＯＭ１５４に形成される編集データについて説明するための図である。ここでは、図１３Ａに示すように、ＤＶカメラ２に装填されたＤＶテープに再生時間にして１時間２０分間分のタイトルが記録されているとする。
【０１７０】
この１時間２０分間分のタイトルの全部を、図１３Ｂに示すようにＤＶＤ装置１に装填されたＤＶＤにダビングし、この後、図１３Ｃに示すように、当該タイトルの先頭から１５分３０秒後の時点から当該タイトルの先頭から４０分後の時点までの２４分３０秒間のシーンａと、当該タイトルの先頭から５５分４０秒後の時点から当該タイトルの先頭から１時間１０分後の時点までの１４分２０秒間のシーンｂとからなる新たなタイトルを形成するようにする場合を例にして説明する。
【０１７１】
まず、この場合には、ＤＶテープに記録されている１時間２０分間分の映像データと音声データとからなるタイトルの全部をＤＶＤ装置１に装填されたＤＶＤ上にダビングする処理（Ｓｔｅｐ１の処理）が行われる。このとき、ＤＶＤ装置１のＥＥＰＲＯＭ１５４上には、図１４Ａに示す編集データが形成される。この図１４Ａに示す編集データの場合にも、実タイトルデータ欄、対応タイトルデータ欄、ＰＬ  ＰＧデータ欄のそれぞれに記録されることになる情報の項目とその意味は、図１１Ｃ、１２Ｄに示した場合と同様である。
【０１７２】
そして、この場合には、実タイトルデータ欄の実タイトル名として、ＤＶカメラにより、２００１年１０月１９日、午前１０時に記録されたタイトルであることを示す“（ＤＶＣａｐｔｕｒｅ  ２００１／１０／１９  １０：００）”という情報が記録されている。実際の編集作業は行われていないので、編集日時、積算時間については、この段階では記録されない。
【０１７３】
また、対応タイトルデータ欄には、作成日時として、ＤＶテープのタイトルの全部をＤＶＤにダビングした日時を示す“（２００２／０４／０２  １５：３０：２０）”という情報が記録され、タイトル長として、“０１：２０：００”という情報が記録される。つまり、この図１４Ａの段階では、ＤＶテープ上のタイトルの全体が、ＤＶＤにダビングされただけの状態を示している。
【０１７４】
そして、ＤＶＤ上に記録されたタイトルを再生するようにして、目的とするシーンａとシーンｂを検索し、シーンａの先頭である当該タイトルの先頭から１５分３０秒後の時点をシーンａのイン点とし、また、当該タイトルの先頭から４０分後の時点をシーンａのアウト点として指定する。同様にして、シーンｂの先頭である当該タイトルの先頭から５５分４０秒後の時点をシーンｂのイン点とし、また、当該タイトルの先頭から１時間１０分後の時点をシーンｂのアウト点として指定する。
【０１７５】
この作業（Ｓｔｅｐ２の処理）を行うことによって、ＤＶＤ装置のＥＥＰＲＯＭ１５４に形成された編集データは、図１４Ｂに示すように、仮想タイトル情報の欄のシーンナンバー（図においてはシーン＃と記載。）が、１番のシーンａのイン点のタイムコード（００：１５：３０）とアウト点のタイムコード（００：４０：００）と、２番目のシーンｂのイン点のタイムコード（００：５５：４０）とアウト点のタイムコード（０１：１０：００）が記録される。
【０１７６】
そして、この仮想タイトル情報の欄に記録される各シーンのイン点とアウト点との情報により、ＤＶＤに記録するようにされる上述したＰＬ（再生リスト）が形成される。また、この場合には、ＤＶテープに記録されていたタイトルの全部をＤＶＤ上にダビングしているので、当該タイトルの先頭からの時間で規定されるタイムコードは、ＤＶテープ上においても、ＤＶＤ上においても同じとなる。この結果、仮想タイトル情報の欄のイン点、アウト点の情報をＰＧデータとして用いて、シーンａ、シーンｂからなるタイトルをＤＶカメラのＤＶテープからＤＶＤにダビングすることができるようにされる。
【０１７７】
［ＰＧデータ編集の場合に形成される編集データについて］
図１５、図１６は、ＰＧデータ編集機能を用いた場合に、ＤＶＤ装置１のメモリ、この実施の形態においてはＥＥＰＲＯＭ１５４に形成される編集データについて説明するための図である。ここでは、図１５Ａに示すように、ＤＶカメラ２に装填されたＤＶテープに再生時間にして１時間２０分間分のタイトルの映像データ、音声データが記録されているとする。
【０１７８】
そして、図１１、図１２を用いて説明したように、また、図１５Ａ、Ｂにも示すように、ＰＧダビング機能が用いられて、当該タイトルの先頭から１５分３０秒後の時点から当該タイトルの先頭から４０分後の時点までの２４分３０秒間のシーンａと、当該タイトルの先頭から５５分４０秒後の時点から当該タイトルの先頭から１時間１０分後の時点までの１４分２０秒間のシーンｂとからなる新たなタイトルがＤＶＤ上にダビングされているとする。
【０１７９】
このシーンａとシーンｂとからなる新たなタイトルがＤＶＤに記録されたときには、図１２Ｃに示したように、また、図１５Ａにも示すように、実タイトルデータ、対応タイトルデータ、ＰＬ  ＰＧデータのいずれも記録された編集データが、ＤＶＤ装置１のＥＥＰＲＯＭ１５４上に形成されている。
【０１８０】
この状態にあるときに、ＰＧデータ編集機能を用いて、ＤＶＤ上に記録されたシーンａ、シーンｂからなる新たなタイトルの内の一部分であるシーンｃ、シーンｄからなるタイトルを形成するとする。この場合には、シーンａとシーンｂとからなるＤＶＤ上のタイトルを再生して、シーンｃとシーンｄのイン点とアウト点を指定するようにする。
【０１８１】
この場合、図１５Ｂに示したように、シーンｃのイン点は、シーンａとシーンｂとからなるＤＶＤ上の編集後タイトルの先頭から５分後の時点であり、また、シーンｃのアウト点は、シーンａとシーンｂとからなるＤＶＤ上の編集後タイトルの先頭から１５分後の時点である。また、シーンｄのイン点は、シーンａとシーンｂとからなるＤＶＤ上の編集後タイトルの先頭から２５分後の時点であり、また、シーンｄのアウト点は、シーンａとシーンｂとからなるＤＶＤ上の編集後タイトルの先頭から３５分後の時点である。これらのイン点、アウト点が指定されることになる。
【０１８２】
この作業を行うことによって、ＤＶＤ装置１のＥＥＰＲＯＭ１５４に形成された編集データは、図１６Ｂに示すように、仮想タイトル情報の欄のイン点、アウト点の値が新たに指定されたシーンｃ、シーンｄに対応するものに変更される。また、この場合には、実タイトルデータ欄の編集日時、積算時間とが更新され、編集日時は、シーンｃとシーンｄとからなる新たなタイトルを形成するように作業したときの日時を示す情報に変更され、積算時間は、シーンｃとシーンｄとの合計再生時間として、“００：２０：００”という情報が更新される。
【０１８３】
そして、この場合には、図１６Ｂに示した編集データの仮想タイトル情報の欄のイン点とアウト点との情報を用いることによって、ＤＶＤ装置１に装填されたＤＶＤ上には、図１５Ｂに示したように、シーンａとシーンｂとからなるタイトルが既に形成されているので、このシーンａとシーンｂとからなるタイトルのシーンｃとシーンｄだけを再生するようにすることができる。
【０１８４】
また、図１６Ｂに示すように、シーンａ、シーンｂのＤＶテープ上の記録位置を示すイン点、アウト点の情報は、当該編集データの実タイトル情報の欄に記録されているので、シーンｃ、シーンｄのＤＶテープ上の記録位置を特定することもできる。
【０１８５】
具体的には、１０分間のシーンｃは、シーンａ内のシーンであるので、シーンｃのＤＶテープ上のイン点は、シーンａのイン点から５分経過後の時点であり、ＤＶテープ上ではその元のタイトルの先頭から２０分３０秒（００：２０：３０）後の時点となる。また、シーンｃのＤＶテープ上のアウト点は、シーンａのイン点から１５分経過後の時点であり、ＤＶテープ上ではその元のタイトルの先頭から３０分３０秒（００：３０：３０）後の時点となる。
【０１８６】
また、同じく１０分間のシーンｄは、シーンｂ内のシーンであるので、シーンｄのＤＶテープ上のイン点は、シーンｂのイン点から３０秒経過後の時点であり、ＤＶテープ上ではその元のタイトルの先頭から５７分１０秒（００：５７：１０）後の時点となる。また、シーンｄのＤＶテープ上のアウト点は、シーンｂのイン点から１０分３０秒経過後の時点であり、ＤＶテープ上ではその元のタイトルの先頭から１時間６分３０秒（０１：０６：３０）後の時点となる。
【０１８７】
このように、編集データの仮想タイトル情報と実タイトル情報とを用いることにより、ＰＧデータを作成して、このＰＧデータに基づいて、ＤＶテープからシーンｃとシーンｄの映像データと音声データとの供給を受けるようにして、これをＤＶＤに記録することもできるようにされる。
【０１８８】
［各ダビング機能を用いる場合のＤＶＤ装置１の動作について］
次に、編集データの生成や変更を伴うＰＧダビング機能、ディスク編集ダビング機能、ＰＧデータ編集機能やコピーダビング機能を用いるようにした場合のこの実施の形態のＤＶＤ装置１の動作について説明する。
【０１８９】
図４を用いて説明したように、この実施の形態のＤＶＤ装置１は、おまかせダビング機能と、ＰＧダビング機能、ディスク編集ダビング機能、ＰＧデータ編集機能、コピー機能（ＤＶダビング機能）からなるＤＶ編集機能とを備えている。そして、図１に示したように、この実施の形態のＤＶＤ装置１とＤＶカメラ２とが、それぞれのＤＶ端子を通じて接続された状態にあるときに、ＤＶ編集機能の実行を選択すると、ＤＶＤ装置１のシステムコントローラ１５０は、ＤＶ編集機能の選択受付処理を実行する。
【０１９０】
図１７は、ＤＶ編集機能の選択受付処理を説明するための図である。例えば、リモコン装置１６０を通じてＤＶ編集機能の実行が指示され、これをＤＶＤ装置１が受け付けると、ＤＶＤ装置１のシステムコントローラ１５０は、図１７に示すＤＶ編集機能の選択受付処理を実行し、まず、ＤＶ編集メニューを表示するためのデータを作成して、これをＯＳＤ部１２３に供給するようにして、ＤＶＤ装置１に接続されたモニタ受像機の表示画面に図２６に示すようなＤＶ編集メニューを表示するようにする（ステップＳ５１）。
【０１９１】
この実施の形態のＤＶＤ装置１において形成されるＤＶ編集メニューは、図２６に示すように、ＤＶ編集メニューであることを示す画面名４０１と、選択項目４０２として、ＰＧダビング、ディスク編集ダビング、ＰＧデータ編集、コピーの４つの機能名と、各ダビング機能の機能説明４０３が表示されるとともに、メニュー画面の下側には、操作ガイダンス４０６が表示される。
【０１９２】
そして、ＤＶＤ装置１のシステムコントローラ１５０は、選択項目４０２の内のいずれかにカーソル４０４を位置付けるとともに、選択可能な方向を示す選択方向マーク４０５をカーソル４０４の近傍に表示し、使用者からの選択入力を受け付ける（ステップＳ５２）。
【０１９３】
使用者は、リモコン装置１６０の例えば、上下矢印キーを操作することにより、カーソル４０４を目的とするダビング機能の選択項目に位置付け、リモコン装置１６０の決定キーを操作することにより、実行したいダビング機能を選択する。
【０１９４】
そして、システムコントローラ１５０は、ステップＳ５２で受け付けた選択入力は、ＰＧダビング機能を選択するものであるか否かを判断し（ステップＳ５３）、ＰＧダビング機能を選択するものであると判断したときには、後述するＰＧダビング処理を実行するようにし（ステップＳ５４）、その終了後、ステップＳ５１からの処理を繰り返すようにする。
【０１９５】
ステップＳ５３の判断処理において、ＰＧダビング機能を選択するものではないと判断したときには、システムコントローラ１５０は、ステップＳ５２で受け付けた選択入力は、ディスク編集ダビング機能を選択するものであるか否かを判断し（ステップＳ５５）、ディスク編集ダビング機能を選択するものであると判断したときには、後述するディスク編集ダビング処理を実行するようにし（ステップＳ５６）、その終了後、ステップＳ５１からの処理を繰り返すようにする。
【０１９６】
ステップＳ５５の判断処理において、ディスク編集ダビング機能を選択するものではないと判断したときには、システムコントローラ１５０は、ステップＳ５２で受け付けた選択入力は、ＤＶ編集リスト機能を選択するものであるか否かを判断し（ステップＳ５７）、ＤＶ編集リスト機能を選択するものであると判断したときには、後述するＤＶ編集リスト処理を実行するようにし（ステップＳ５８）、その終了後、ステップＳ５１からの処理を繰り返すようにする。
【０１９７】
ステップＳ５７の判断処理において、ＤＶ編集機能を選択するものではないと判断したときには、正常に選択入力がなされなかったと判断し、ステップＳ５１からの処理を繰り返すようにして、再度の選択入力を受け付けるようにする。このようにして、ＤＶＤ装置１は、使用者からの選択入力を受け付け、その選択入力に応じたダビング機能を実行することができるようにされる。
【０１９８】
なお、ＤＶ編集リスト機能は、上述したＰＧデータ編集機能とコピー機能（ＤＶダビング機能）との両方を可能にするものであり、後述もするように、編集することにより形成するようにしたタイトルの編集データを指定することにより、さらに編集を加えたり、また、その指定された編集データに基づいて、ＤＶカメラ２のＤＶテープからＤＶＤ装置１のＤＶＤに編集後の新たなタイトルの映像データと音声データとをダビングしたりすることができるようにするものである。
【０１９９】
［ＰＧダビング機能実行時の動作について］
次に、図１７に示した処理において、ＰＧダビング機能が選択された場合にステップＳ５４において実行されるＰＧダビング処理について、図１８、図１９のフローチャートおよび図２７〜図３１の画面表示例を参照しながら説明する。
【０２００】
図２６に示したＤＶ編集編集メニューを通じて、ＰＧダビング機能が選択されると、ＤＶＤ装置１のシステムコントローラ１５０は、図１８、図１９に示すＰＧダビング処理を実行する。そして、システムコントローラ１５０は、まず、途中保存データがあるか否かを判断する（ステップＳ１０１）。
【０２０１】
このステップＳ１０１の判断処理は、編集が完結しておらず、途中保存の状態の編集データがあるか否かを判断する処理であり、具体的には、例えば、図１１Ｃに示したように、対応タイトルデータの欄や、仮想タイトル情報の欄にデータが記録されておらず、ＤＶＤ装置１側においてタイトルが形成されていない編集データがある場合に、途中保存データ有りと判断する。
【０２０２】
ステップＳ１０１の判断処理において、途中保存データは無いと判断したときには、システムコントローラ１５０は、図２７Ａに示すシーン選択確認画面を作成し、これをＯＳＤ部１２３に供給するようにして、このシーン選択確認画面をＤＶＤ装置１に接続されたモニタ受像機の表示画面に表示し（ステップＳ１０２）、使用者からの確認入力を受け付けるようにする（ステップＳ１０３）。
【０２０３】
すなわち、ステップＳ１０２において表示されるシーン選択確認画面は、図２７Ａに示したように、画面名４１１、ガイダンス４１２、操作ガイダンス４１３、開始指示アイコン４１４、中止指示アイコン４１５からなるものである。
【０２０４】
そして、使用者がＤＶＤ装置１のリモコン装置１６０の矢印キーを操作することにより、リモコン装置１６０から送出されるリモコン信号に応じて、システムコントローラ１５０は、開始指示アイコン４１４か中止指示アイコン４１５にカーソルを位置付けることができるようにされ、この後、リモコン装置１６０の決定キーが操作されることにより、シーン選択処理の開始か中止かが選択することができるようにされる。
【０２０５】
システムコントローラ１５０は、ステップＳ１０３において受け付けた使用者からの選択入力が開始を指示するものであるか否かを判断する（ステップＳ１０４）。このステップＳ１０４の判断処理において、開始指示ではなく、中止指示アイコンが選択されるか、リモコン装置１６０の戻るキーが操作されたと判断したときには、この図１８、図１９に示す処理を終了して、図１７に示した処理に戻り、図２６に示したＤＶ編集メニューからの選択入力が行われるようにされる。
【０２０６】
ステップＳ１０４において、開始指示を受け付けたと判断したときには、ＤＶＤ装置１側からＤＶカメラ２の動作を制御して、ＤＶカメラ２から目的とするタイトルの映像データ、音声データ、タイムコードの供給を受けて、目的とする１つ以上のイン点とアウト点との指定を行うようにするシーン選択処理を行う（ステップＳ１０５）。
【０２０７】
このステップＳ１０５のシーン選択処理においては、図２８に示すイン点設定画面と図２９に示すアウト点設定画面とが用いられるようにされる。イン点設定画面は、ＤＶカメラ２からの映像データに応じた再生画像が表示されるとともに、当該画面がイン点設定画面であることを示す画面名４３１、イン点、アウト点のタイムコード表示４３２、現在の操作モードを示すガイダンス４３３、現在のＤＶカメラの動作状態を示す状態表示４３４、操作ガイダンス４３５が表示される。
【０２０８】
イン点の設定時においては、操作ガイダンス表示４３５に再生マークＭ１、一時停止マークＭ２、早戻しマークＭ３、早送りマークＭ４が示すように、ＤＶＤ装置１からＤＶカメラ２に対して、再生、一時停止、早戻し、早送りの指示をＩＥＥ１３９４ＤＶ規格において定義されているＡＶＣコマンドを用いて送信することにより、ＤＶＤ装置１からＤＶカメラ２の動作を制御することができるようにしている。
【０２０９】
すなわち、使用者は、ＤＶＤ装置１のリモコン装置１６０を通じてＤＶカメラ２の再生、一時停止、早戻し、早送りを指示することができるようにされており、ＤＶＤ装置１のシステムコントローラ１５０は、リモコン装置１６０からリモコン信号に応じて、ＤＶカメラ２に対する制御信号を形成し、これをＤＶコーデック１２８、デジタルＩ／Ｆ１２９、ＤＶ端子ＤＶｉｏ、ＩＥＥＥ１３９４ケーブル３を通じてＤＶカメラ２に送信する。
【０２１０】
これに応じてＤＶカメラ２は動作し、少なくとも再生時において、自機に装填されたＤＶテープから情報を読み出して、映像データ、音声データ、タイムコードを自機のＤＶ端子、ＩＥＥＥ１３９４ケーブル３を通じてＤＶＤ装置１に供給するようにする。そして、ＤＶＤ装置１の使用者は、目的とするシーンの先頭を検出したときには、リモコン装置１の決定キーを押下することにより、イン点を決定して、アウト点の選択処理を行うことができるようにされる。
【０２１１】
なお、図２８に示したイン点設定画面において、現在の操作モードを示すガイダンス４３３は、ＤＶＤ装置１からＤＶカメラ２を制御する状態にあることを示している。ＤＶカメラ２が接続されていない場合などにおいては、他の表示内容となる。
【０２１２】
また、現在のＤＶカメラの動作状態を示す状態表示４３４は、ＤＶカメラ２が再生状態にあることを示している。この状態表示４３４は、ＤＶカメラ２が一時停止するようにされたときには、一時停止マークが、また、早戻しするようにされたときには、早戻しマークが表示されるというように、ＤＶカメラ２の動作状態に応じて変えられる。
【０２１３】
また、イン点、アウト点のタイムコード表示４３２は、設定前においては、再生画像に応じたタイムコードが表示され、設定後においては、イン点として設定された位置のタイムコードが表示するようにされる。
【０２１４】
上述のようにして、イン点を設定した後においては、システムコントローラ１５０は、図２９に示したアウト点設定画面を表示して、アウト点の設定入力を受け付ける。アウト点設定画面は、図２８を用いて上述したイン点設定画面と同様に、ＤＶカメラ２からの映像データに応じた再生画像が表示されるとともに、当該画面がアウト点設定画面であることを示す画面名４４１、イン点、アウト点のタイムコード表示４４２、現在の操作モードを示すガイダンス４４３、現在のＤＶカメラの動作状態を示す状態表示４４４、操作ガイダンス４４５が表示される。
【０２１５】
この図２９に示すアウト点設定画面において、イン点、アウト点のタイムコード表示４４２、現在の操作モードを示すガイダンス表示４４３、現在のＤＶカメラの動作状態を示す状態表示４４４、操作ガイダンス４４５は、図２８に示したイン点設定画面のイン点、アウト点のタイムコード表示４３２、現在の操作モードを示すガイダンス表示４３３、現在のＤＶカメラの動作状態を示す状態表示４３４、操作ガイダンス４３５と同様の内容を示すものである。
【０２１６】
しかし、図２９に示すアウト点設定画面において、イン点、アウト点のタイムコード表示４４２は、イン点のタイムコードはイン点設定画面において設定されたイン点のタイムコードが表示され、また、アウト点のタイムコードは、設定前においては、再生画像に応じたタイムコードが表示され、設定後においては、アウト点として設定された位置のタイムコードが表示するようにされる。
【０２１７】
この図２９に示したアウト点設定画面を通じて、イン点を設定した場合と同様にして、アウト点の設定入力を受け付ける。そして、イン点とアウト点との設定入力を受け付けるステップＳ１０５の処理においては、目的とする複数のシーンのイン点とアウト点との設定入力ができるようにされる。
【０２１８】
一方、図１８に示した処理のステップＳ１０１の判断処理において、途中保存データがあると判断したときには、システムコントローラ１５０は、図２７Ｂに示す継続確認画面を表示するためのデータを作成し、これをＯＳＤ部１２３に供給するようにして、この継続確認画面をＤＶＤ装置１に接続されたモニタ受像機の表示画面に表示し（ステップＳ１０６）、使用者からの確認入力を受け付けるようにする（ステップＳ１０７）。
【０２１９】
すなわち、ステップＳ１０６において表示される継続確認画面は、図２７Ｂに示したように、画面名４２１、ガイダンス表示４２２、操作ガイダンス４２３、保存データ継続アイコン４２４、新規作成アイコン４２５からなるものである。
【０２２０】
そして、使用者がＤＶＤ装置１のリモコン装置１６０の矢印キーを操作することにより、リモコン装置１６０から送出されるリモコン信号に応じて、システムコントローラ１５０は、保存データ継続アイコン４２４か新規作成アイコン４２５にカーソルを位置付けることができるようにされ、この後、リモコン装置１６０の決定キーが操作されることにより、途中保存データを用いた編集作業の継続か、新規の編集作業かが選択することができるようにされる。
【０２２１】
システムコントローラ１５０は、ステップＳ１０３において受け付けた使用者からの選択入力が途中保存データを用いた編集作業の継続を指示するものであるか否かを判断する（ステップＳ１０８）。このステップＳ１０８の判断処理において、途中保存データを用いた編集作業の継続を指示するものではなく、新規の編集作業を指示するものであると判断したときには、ステップＳ１０５の処理に進み、上述したように、イン点設定画面（図２８）とアウト点設定画面（図２９）とを用いた目的とするシーンの選択処理を行うようにする。
【０２２２】
また、ステップＳ１０８の判断処理において、途中保存データを用いた編集作業の継続を指示するものであると判断した場合、および、ステップＳ１０５のシーン選択処理が終了した後においては、システムコントローラ１５０は、図３０に示すような編集中のタイトルのシーンの一覧表（シーンリスト）を作成するデータを形成して、これをＯＳＤ部１２３に供給して、ＤＶＤ装置１に接続されたモニタ受像機の表示画面に表示するようにし（ステップＳ１０９）、次の処理の指示入力を受け付けるようにする（ステップＳ１１０）。
【０２２３】
ステップＳ１０９において作成され、ＤＶＤ装置１に接続されたモニタ受像機の表示画面に表示されるシーンリストは、図３０に示すように、画面名４５１、タイトル名や当該タイトルの総再生時間などのタイトルに関する情報の表示４５２、各シーンのイン点のサムネイル画像４５３（１）、４５３（２）、４５３（３）、…、各シーンのイン点、アウト点およびシーン長（そのシーンの再生時間）の表示４５４、シーン選択用カーソル４５５、操作ガイダンス４５６、確定アイコン４５７、中止アイコン４５８、シーン追加アイコン４５９が表示されるとともに、必要に応じてサブメニュー４４０、サブメニューカーソル４４０Ｃを表示することができるようにされる。
【０２２４】
そして、この実施の形態においては、図３０に示した態様で表示されるシーンリストを確認し、リモコン装置１６０を通じて、確定アイコン４５７を選択することによりタイトルの内容を確定して編集作業を終了されるか、中止アイコン４５８を選択することによりＰＧダビング処理を中止するか、シーン追加アイコン４５９を選択することにより、シーンの追加を行うかを選択する。ここでは、目的とするアイコンを選択した後、リモコン装置１６０の決定キーを操作することにより、選択内容が決定するようにされる。
【０２２５】
また、リモコン装置１６０を操作することにより、シーンリスト上のカーソルを目的とするシーンに合わせ、リモコン装置１６０を通じて所定の操作を行うことにより、その選択したシーンに対してサブメニュー４４０、サブメニューカーソル４４０Ｃを表示させ、その選択したシーンについて、シーン移動、シーン消去、確認再生、イン点修正、アウト点修正などができるようにされる。使用者は、リモコン装置１６０を通じて、サブメニューカーソルを目的とする項目に合わせ、確定することにより、その項目に応じた機能を実行することができるようにされる。
【０２２６】
そして、システムコントローラ１５０は、ステップＳ１１０において受け付けた指示入力は何かを判断する（ステップＳ１１１）。ステップＳ１１１の判断処理において、受け付けた指示入力がシーン追加を指示するものであるときには、システムコントローラ１５０は、ステップＳ１０５からの処理を繰り返し、新たなシーンのイン点とアウト点との設定を受け付けることにより、シーンの追加ができるようにする。
【０２２７】
また、ステップＳ１１１の判断処理において、受け付けたシーンが、編集の中止であると判断したときには、システムコントローラ１５０は、図１９に示すステップＳ１２３の処理に進み、この時点までに作成した編集データを途中保存データとしてＥＥＰＲＯＭ１５４に保存し、この図１８、図１９に示すＰＧダビング処理を終了する。
【０２２８】
また、ステップＳ１１１の判断処理において、受け付けたシーンがタイトルの内容の確定であると判断したときには、編集作業は終了したと判断し、図１９に示すステップＳ１１２の処理に進み、タイトル名設定画面を表示するためのデータを作成して、これをＯＳＤ部１２３に供給することにより、ＤＶＤ装置１に接続されたモニタ受像機の表示画面に表示するようにし（ステップＳ１１２）、確認入力を受け付ける（ステップＳ１１３）。
【０２２９】
このタイトル名設定画面では、タイトル名の確定入力と、タイトル名入力の指示入力とが受け付けられるようにされる。そして、ステップＳ１１３において受け付けた確認入力は、確定入力か否かを判断する（ステップＳ１１４）。このステップＳ１１４の判断処理において、タイトル名の入力が指示されたと判断したときには、タイトル名の文字入力を受け付け（ステップＳ１１５）、ステップＳ１１３からの処理を行うようにする。
【０２３０】
ステップＳ１１４の判断処理において、確定入力がされたと判断したときには、システムコントローラ１５０は、タイトル名を確定し、準備確認画面を作成して出力するようにし（ステップＳ１１６）、ダビングを実行するか、終了するかの選択入力を受け付ける（ステップＳ１１７）。ここで、タイトル名の確定にあたって、使用者により文字入力がされていない場合には、作成日などのいわゆるデフォルトのデータがタイトル名として用いられるようにされる。
【０２３１】
そして、システムコントローラ１５０は、ステップＳ１１７で受け付けた選択入力は、ダビングの実行を指示するものか否かを判断する（ステップＳ１１８）。ステップＳ１１８の判断処理において、ダビングの実行を指示するものであると判断したときには、ダビング対象のタイトルについての編集データの作成されたＰＧデータ（ＤＶテープ上のタイムコードで指定されたイン点、アウト点の情報）に基づいて、ＤＶカメラ２から目的とするシーンの映像データと音声データの供給を受けて、これをＤＶＤ１１４に記録する実ダビング処理を行うとともに、供給された映像データ、音声データを再生するようにする（ステップＳ１１９）。
【０２３２】
このステップＳ１１９の処理においては、図３１に示すように、ダビング中を示す画面（ＤＶ再生画面）が表示するようにされる。この図３１に示すＤＶ再生画面においては、外部入力の再生中であることを示すガイダンス４６１と、ダビング中のタイトルを構成するシーンの総数と、現在いくつ目のシーンをダビング中であるかを示す表示４６２と、ＤＶＤ装置１に装填されているＤＶＤ１１４のディスク種別やフォーマット種別の表示４６３と、記録モード表示４６４と、ダビングして形成するタイトルの全体量とダビング済み量とを相対的に表示するバー表示４６５と、経過時間４６６とが表示される。
【０２３３】
なお、現在いくつ目のシーンをダビング中であるかを示す表示４６２は、図３１に示したように、現在のシーン数／総シーン数という態様で表示される。ここで、総シーン数は、編集データにより把握が可能なＤＶＤに作成しようとしている新たなタイトルのものである。
【０２３４】
また、ステップＳ１１９の処理においては、ＤＶカメラ２に装填されたＤＶテープの飛び飛びの位置の複数のシーンをダビングする場合もあり、目的とするシーンをサーチするために、ＤＶテープの巻き戻しや早送りが行われる場合もある。この場合には、映像データ、音声データはＤＶカメラ２から供給されないので、表示画面には、ミュート画として、黒色画面あるいは青色画面が表示する。
【０２３５】
なお、ミュート画の表示に限るものではなく、ＤＶＤに記録するＤＶカメラ２からの映像データ、音声データを、例えば、ＤＶコーデック１２８の内部や、ＤＶコーデック１２８とＮＴＳＣエンコーダ１２４およびＤ／Ａ変換器１２７の間や、あるいは、ＮＴＳＣエンコーダ１２４とＤ／Ａ変換器１２７の内部などに再生用バッファメモリを設け、これにもＤＶカメラ２からの映像データ、音声データを取り込むようにする。そして、ＤＶカメラ２におけるシーンのサーチ時には、この再生用バッファメモリから映像データと音声データとを読み出して、サーチ中であっても動画を再生を続行するようにすることもできる。
【０２３６】
この場合、サーチ開始時点のＤＶテープ上の位置と目的とするシーンのイン点とは、ともにＤＶテープ上のタイムコードによって把握可能であり、サーチに係る時間もある程度計算できる。また、表示用バッファの容量や記録されている映像データや音声データのデータ量からどの位の時間分の再生が可能でるかも計算できるので、再生バッファからの映像の再生時間に応じて、ＤＶカメラ２のＤＶテープの巻き戻し、早送りの速度をＤＶＤ装置１から制御するようにすることも可能である。
【０２３７】
また、再生用バッファメモリは、通常時においても使用されるものであってもよいし、あるいは、ＤＶカメラ２からの映像データ、音声データの書き込みは常時行われ、サーチ時にだけ読み出し用として用いられるものとして新たに設けるようにすることも可能である。
【０２３８】
また、ミュート画、動画のほか、ダビングが完了している直近のシーンのアウト点の画像を静止画像として表示したり、あるいは、ＤＶカメラ２において目的とするシーンのサーチ中である旨のメッセージ表示を行うようにするなど、任意の静止画像やメッセージ画像を表示したりすることもできる。
【０２３９】
そして、システムコントローラ１５０は、実ダビング処理が終了するか、あるいは、実ダビング処理の中止が指示されるまで、実ダビング処理を続行し（ステップＳ１２０）、実ダビング処理が終了したと判断したときには、終了確認画面を作成して出力する（ステップＳ１２１）。そして、使用者からの確認入力を受け付けて（ステップＳ１２２）、この図１８、図１９に示す処理を終了する。このステップＳ１２１、ステップＳ１２２の処理により、使用者はＰＧダビングが正常に終了し、目的とするシーンからなる新たなタイトルをＤＶＤ上に作成できたことを確認することができる。
【０２４０】
また、ステップＳ１１９の処理において実行される実ダビング中にダビングの中止の指示を受け付けた場合には、ダビングを中止し、編集データを保存して（ステップＳ１２３）、この図１８、図１９に示す処理を終了する。
【０２４１】
このようにして、ＤＶＤ装置１においては、ＰＧダビング機能を実行し、ＤＶカメラ２のＤＶテープに記録されているタイトルの内の目的とするシーンからなる新たなタイトルをＤＶＤ上に作成することができる。そして、上述もしたように、編集の途中段階で、ＤＶカメラ２からの映像データや音声データ等をＤＶＤ装置１側で保持しておく必要などは全く無く、ＤＶＤ装置１とＤＶカメラ２とを用いるだけで、簡単に編集作業を行うことができるようにされる。
【０２４２】
［ディスク編集ダビング機能実行時の動作について］
次に、図１７に示した処理において、ディスク編集ダビング機能が選択された場合にステップＳ５６において実行されるディスク編集ダビング処理について、図２０、図２１のフローチャートを参照しながら説明する。
【０２４３】
図２６に示したＤＶ編集編集メニューを通じて、ディスク編集ダビング機能が選択されると、ＤＶＤ装置１のシステムコントローラ１５０は、図２０、図２１に示すディスク編集ダビング処理を実行する。そして、システムコントローラ１５０は、ＤＶカメラ２のＤＶテープに記録されているタイトルの全部をダビングする全ダビングに先立って、全ダビングを実行するか中止するかの選択入力を受け付けるための準備確認画面の表示用データを作成し、これをＯＳＤ部１２３に供給して、当該準備確認画面をＤＶＤ装置１に接続されたモニタ受像機などの表示画面に表示するようにする（ステップＳ２０１）。
【０２４４】
そして、システムコントローラ１５０は、表示するようにした準備確認画面に対する全ダビングを実行するか中止するかの選択入力を、リモコン装置１６０を介して受け付けるようにする（ステップＳ２０２）。システムコントローラ１５０は、ステップＳ２０２において受け付けた選択入力は、全ダビングの実行を指示するものであるか否かを判断する（ステップＳ２０３）。
【０２４５】
ステップＳ２０３の判断処理において、全ダビングの中止が指示されたと判断したときには、この図２０、図２１に示すディスク編集ダビング処理を終了し、図１７に示した処理に戻り、図２６に示したＤＶ編集メニューからの選択入力が行われるようにされる。
【０２４６】
ステップＳ２０３の判断処理において、全ダビングの実行が指示されたと判断したときには、システムコントローラ１５０は、ＤＶカメラ２を制御するようにして、ＤＶカメラ２から供給されるＤＶテープ上のタイトルの映像データと音声データとＤＶＤに記録するとともに、ＤＶからのタイムコードをＥＥＰＲＯＭ１５４に記録するようにするダビング処理を実行する（ステップＳ２０４）。
【０２４７】
このステップＳ２０４の処理においては、システムコントローラ１５０は、ＤＶカメラ２をＤＶテープの先頭から記録データの再生を行うようにするための制御信号を形成し、これをＤＶコーデック１２８、デジタルＩ／Ｆ１２９、ＤＶ端子ＤＶｉｏ、ＩＥＥＥ１３９４ケーブル３を通じてＤＶカメラ２に供給し、ＤＶカメラ２からＤＶテープに記録されているタイトルの映像データ、音声データ、タイムコードの提供を受けるようにする。また、このステップＳ２０４の処理においては、図３１に示したような、外部入力からのデータのダビング中である旨を使用者に通知するようにする表示画像を表示させる。
【０２４８】
そして、システムコントローラ１５０は、全ダビングが終了するまで待ち状態となり（ステップＳ２０５）、全ダビングが終了したと判断したときには、シーン選択確認画面の表示用データを作成し、これをＯＳＤ部１２３に供給して、当該シーン選択確認画面を外部のモニタ受像機などの表示画面に表示するようにする（ステップＳ２０６）。
【０２４９】
このシーン選択確認画面においては、シーンを自動生成するか、あるいは、シーンの選択処理を行うかの選択を行うことができるようにされ、システムコントローラ１５０は、表示するようにしたシーン選択確認画面に対する選択入力をリモコン１６０を介して受け付けるようにする（ステップＳ２０７）。
【０２５０】
そして、システムコントローラ１５０は、ステップＳ２０７において受け付けた選択入力は、シーンの自動生成を行うことを指示するものであるか否かを判断する（ステップＳ２０８）。ステップＳ２０８の判断処理において、シーンの自動生成が指示されたと判断したときには、システムコントローラ１５０は、ダビング時に設定される当該タイトルの先頭およびギャップ点をイン点として複数のシーンが自動生成する（ステップＳ２０９）。この場合、編集データの仮想タイトル情報の欄のイン点、アウト点が自動的に生成するようにされる。
【０２５１】
また、ステップＳ２０８の判断処理において、シーンの自動生成は指示されていないと判断したときには、シーンの選択処理の実行が指示されたと判断し、使用者からのシーンのイン点とアウト点との設定入力を受け付けるシーン選択処理を実行する（ステップＳ２１０）。
【０２５２】
このステップＳ２１０の処理は、ＤＶＤ装置１に装填されているＤＶＤに既に全ダビングされたタイトルを編集対象として再生するようにすることを除けば、ＤＶカメラ２のＤＶテープに記録されているタイトルを編集対象とする図１８、図１９に示したＰＧダビング処理のステップＳ１０５の処理とほぼ同様の処理である。
【０２５３】
つまり、図２８、図２９に示したイン点設定画面、アウト点設定画面を通じて、目的とする１つ以上のシーンのイン点とアウト点との設定入力を受け付ける処理である。この場合、編集データの仮想タイトル情報の欄のイン点、アウト点が自動的に生成するようにされる。
【０２５４】
そして、ステップＳ２０９、ステップＳ２１０の処理が終了すると、システムコントローラ１５０は、図２１に示すステップＳ２１１の処理を実行する。つまり、システムコントローラ１５０は、ステップＳ２０９の処理により、あるいは、ステップＳ２１０の処理により、形成された編集データの仮想タイトル情報の欄のイン点、アウト点の情報を用いて、図３０に示したようなシーン一覧（シーンリスト）を表示するためのデータを作成し、これをＯＳＤ１２３に供給するようにして、当該シーンリストをＤＶＤ装置１に接続されたモニタ受像機の表示画面に表示して（ステップＳ２１１）、指示入力を受け付けるようにする（ステップＳ２１２）。
【０２５５】
このステップＳ２１１、ステップＳ２１２の処理は、図１８に示したＰＧダビング処理のステップＳ１０９、ステップＳ１１０の処理と同様に、編集の確定、シーンの追加、編集の中止を指示することができるほか、シーンを指定して、その信号の移動、消去、確認再生、イン点修正、アウト点修正を行うこともできるようにされる。
【０２５６】
そして、システムコントローラ１５０は、ステップＳ２１２において受け付けた指示入力は何かを判断する（ステップＳ２１３）。ステップＳ２１３の判断処理において、編集の中止が指示されたと判断したときには、保存確認画面を表示するための表示データを作成し、これをＯＳＤ部１２３に供給して、保存確認画面をこのＤＶＤ装置１に接続されたモニタ受像機の表示画面に表示するようにし（ステップＳ２１４）、使用者からの確認入力を受け付けるようにする（ステップＳ２１５）。
【０２５７】
この場合、ステップＳ２１４で表示される保存確認画面は、今回の編集により作成された編集データを保存するか否かを受け付けるようにするものである。そして、システムコントローラ１５０は、ステップＳ２１５において受け付けた確認入力は、編集データの保存を指示するものであるか否かを判断する（ステップＳ２１６）。
【０２５８】
ステップＳ２１６の判断処理において、保存が指示されたと判断したときには、今回作成した編集データをＥＥＰＲＯＭ１５４に保存して（ステップＳ２１７）、この図２０、図２１に示す処理を終了する。また、ステップＳ２１６の判断処理において保存は指示されていない、単に終了が指示されただけであると判断したときには、システムコントローラ１５０は、今回作成した編集データを保存することなく、この図２０、図２１に示したディスク編集ダビング処理を終了する。また、ステップＳ２１６の判断処理において保存ではなく、前画面に戻るように指示されたと判断したときには、ステップＳ２１１からの処理をくりかえすようにする。
【０２５９】
また、ステップＳ２１３の判断処理において、編集の確定が指示されたと判断したときには、システムコントローラ１５０は、ＰＬ生成確認画面を表示するためのデータを形成し、これをＯＳＤ１２３に供給するようにして、ＰＬ生成確認画面をＤＶＤ装置１に接続されたモニタ受像機の表示画面に表示するようにする（ステップＳ２１８）。
【０２６０】
このＰＬ生成確認画面では、作成した編集データと同じデータを目的とする１つ以上のシーンからなる新たなタイトルを再生するようにするためのＰＬ（再生リスト：Ｐｌａｙ  Ｌｉｓｔ）として、ダビングに用いたＤＶＤに記録するか否かを受け付けるようにするものである。
【０２６１】
そして、システムコントローラ１５０は、ＰＬ生成確認画面に対する確認入力を、リモコン装置１６０を通じて受け付ける（ステップＳ２１９）。そして、ステップＳ２１９で受け付けた確認入力は、ＰＬの生成か否かを判断する（ステップＳ２２０）。
【０２６２】
ステップＳ２２０の判断処理において、ＰＬの生成が指示されたと判断したときには、システムコントローラ１５０は、ＥＥＰＲＯＭ１５４上に今回作成された編集データをＰＬとして、ディスク編集ダビング処理に用いたＤＶＤに記録し（ステップＳ２２１）、この図２０、図２１に示す処理を終了する。
【０２６３】
また、ステップＳ２２０の判断処理において、ＰＬの生成を行わないことが指示されたと判断したときには、ＰＬは生成することなく、この図２０、図２１に示す処理を終了する。また、ステップＳ２２０の判断処理において、ＰＬ生成確認画面に対するリモコン装置１６０を介して受け付けた使用者からの指示が、リモコン装置１６０の戻るキーを操作するものであると判断したときには、ステップＳ２１１からの処理を繰り返し、シーンリストの作成、出力の処理から繰り返すようにされる。
【０２６４】
また、ステップＳ２１３の判断処理において、シーンの追加が指示されたと判断したときには、システムコントローラ１５０は、図２０に示した処理のステップＳ２１０からの処理を繰り返し、シーンの追加ができるようにしている。
【０２６５】
このようにして、ＤＶＤ装置１においては、ディスク編集ダビング機能を実行し、ＤＶカメラ２のＤＶテープに記録されているタイトルの全部をＤＶＤにダビングした上で、ＤＶＤのランダムアクセス性を利用し、目的とするシーンの迅速な検索を可能にし、目的とするシーンからなる新たなタイトルをＤＶＤ上にダビングされた情報に基づいて再生することができるようにされる。
【０２６６】
そして、ＤＶＤの空き容量が、少なくとも、ＤＶテープに記録されている目的とするタイトルのデータ量分あれば、そのタイトルを全部ＤＶＤにダビングした上で、さらに編集後の新たなタイトルをも編集データに基づいて再生して利用することができできるようにされる。また、この場合にも、ＤＶＤ装置１とＤＶカメラ２とを用いるだけで、簡単に編集作業を行うことができるようにされる。
【０２６７】
［ディスク編集ダビング機能実行時の動作について］
次に、図１７に示した処理において、ＤＶ編集リスト機能が選択された場合にステップＳ５８において実行されるＤＶ編集リスト処理について、図２２〜図２５のフローチャートおよび図３２の画面表示例等を参照しながら説明する。
【０２６８】
図２６に示したＤＶ編集集メニューを通じて、ＤＶ編集リスト機能が選択されると、ＤＶＤ装置１のシステムコントローラ１５０は、図２２〜図２５に示すディスク編集リスト処理を実行する。そして、システムコントローラ１５０は、図３２に示すＤＶ編集リスト画面を表示するためのデータを形成し、これをＯＳＤ部１２３に供給して、当該ＤＶ編集リスト画面をＤＶＤ装置１に接続されたモニタ受像機などの表示画面に表示するようにする（ステップＳ３０１）。
【０２６９】
このＤＶ編集リスト画面は、図３２に示すように、画面名４７１と、選択可能なタイトル（編集によりＤＶＤに作成するようにされた新たなタイトル（編集タイトル））の表示４７２と、選択方向を示す選択方向マーク４７３、４７４と、中止指示アイコン４７５と、対応するディスクが装填されており、編集プレビューが可能なタイトルであることを示す対応ディスクマーク４７７（１）、４７７（２）、操作ガイダンス表示４７８が表示されている。
【０２７０】
また、タイトルの表示欄４７２に表示される情報は、図３２に示すように、タイトル名４７９（１）、再生時間４７９（２）、編集日または作成日４７９（３）などの情報からなっている。
【０２７１】
そして、リモコン装置１６０の上下矢印キーを操作することにより、リモコン装置１６０から送出されるリモコン信号に応じて、システムコントローラ１５０は、ＤＶ編集リスト画面上のカーソル４７６を移動させ、使用者が目的とするタイトルを選択することができるようにしている。
【０２７２】
そして、システムコントローラ１５０は、表示するようにしたＤＶ編集リスト画面に対するタイトル（編集タイトル）の選択入力を受け付けるとともに、リモコン装置１６０の決定キーを操作して行う選択したタイトルの決定入力を、リモコン装置１６０を介して受け付けるようにする（ステップＳ３０２）。システムコントローラ１５０は、ステップＳ３０２において選択されたタイトルが決定されたか否か否かを判断する（ステップＳ３０３）。
【０２７３】
ステップＳ３０３の判断処理において、決定されていないと判断したときには、システムコントローラ１５０は、中止指示アイコン４７５が選択するようにされたか否かを判断する（ステップＳ３０４）。
【０２７４】
ステップＳ３０４の判断処理において、中止指示アイコン４７５が選択するようにされたと判断したときには、この図２２〜図２５に示す処理を終了して、図１７に示した処理に戻り、図２６に示したＤＶ編集メニューからの選択入力が行われるようにされる。また、ステップＳ３０４の判断処理において、中止指示アイコン４７５が選択するようにされていないと判断したときには、リモコン装置１６０の戻るキーが操作されたと判断し、ステップＳ３０２からの処理を繰り返すようにする。
【０２７５】
ステップＳ３０３の判断処理において、目的とするタイトルが選択され、そのタイトルが決定されたと判断したときには、システムコントローラ１５０は、例えば、図２８に示したサブメニュー４４０と同じような態様で、選択決定したタイトルについて実行する処理の選択入力を受け付けるサブメニューを表示するためのデータを形成し、これをＯＳＤ部１２３に供給するようにして、サブメニューを外部のモニタ受像機の表示画面に表示するようにする（ステップＳ３０５）。
【０２７６】
このサブメニューで選択可能な処理項目としては、ＤＶダビング（コピー）、編集、消去、サブメニューを閉じるなどを有するものである。そして、サブメニューに対する選択入力を、リモコン装置１６０を通じて受け（ステップＳ３０６）、ＤＶダビングが選択されたか否かを判断する（ステップＳ３０７）。
【０２７７】
ステップＳ３０７の判断処理において、ＤＶダビング処理が選択されたと判断したときには、システムコントローラ１５０は、ＤＶダビング確認画面を表示するためのデータを作成し、これをＯＳＤ部１２３に供給することにより、外部のモニタ受像機の表示画面にＤＶダビング確認画面を表示するようにし（ステップＳ３０８）、リモコン装置１６０を通じての使用者からの確認入力を受け付けるようにする（ステップＳ３０９）。ここで、ＤＶダビング確認画面は、ＤＶダビングの実行、中止、タイトルの際選択のいずれかの処理の選択を受け付けるようにするためのものである。
【０２７８】
そして、システムコントローラ１５０は、ステップＳ３０９において受け付けた確認入力は、ＤＶダビングの実行を指示するものであるか否かを判断する（ステップＳ３１０）。ステップＳ３１０の判断処理において、ＤＶダビングの実行が指示されなかったと判断したときには、システムコントローラ１５０は、ＤＶダビングの中止が指示されたか否かを判断する（ステップＳ３１１）。
【０２７９】
ステップＳ３１１の判断処理において、中止が指示されたと判断したときには、この図２２〜図２５に示す処理を終了する。また、ステップＳ３１１の判断処理において、中止が指示されていないと判断したときには、タイトルの再選択が指示されたと判断し、ステップＳ３０１からの処理を繰り返すようにする。
【０２８０】
ステップＳ３１０の判断処理において、ＤＶダビングの実行が指示されたと判断したときには、システムコントローラ１５０は、タイトル名設定画面を作成して出力するようにし（ステップＳ３１２）、確認入力を受け付ける（ステップＳ３１３）。
【０２８１】
このタイトル名設定画面では、タイトル名の確定入力と、タイトル名入力の指示入力とが受け付けられるようにされる。そして、ステップＳ３１３において受け付けた確認入力は、確定入力か否かを判断する（ステップＳ３１４）。このステップＳ３１４の判断処理において、タイトル名の入力が指示されたと判断したときには、タイトル名の文字入力を受け付け（ステップＳ３１５）、ステップＳ３１３からの処理を行うようにする。
【０２８２】
ステップＳ３１４の判断処理において、確定入力がされたと判断したときには、システムコントローラ１５０は、図２３に示すステップＳ３１６の処理に進み、タイトル名を確定し、準備確認画面を作成して出力するようにし（ステップＳ３１６）、ＤＶダビングを実行するか、終了するかの選択入力を受け付ける（ステップＳ３１７）。ここで、タイトル名の確定にあたって、使用者により文字入力がされていない場合には、作成日などのいわゆるデフォルトのデータがタイトル名として用いられるようにされる。
【０２８３】
そして、システムコントローラ１５０は、ステップＳ３１７で受け付けた選択入力は、ＤＶダビングの実行を指示するものか否かを判断する（ステップＳ３１８）。ステップＳ３１８の判断処理において、ＤＶダビングの実行を指示するものであると判断したときには、ステップＳ３０２において、図３２に示したように表示されるＤＶ編集リストの中から選択されたタイトルの編集データに基づいて、ＤＶカメラ２から目的とするシーンの映像データと音声データの供給を受けて、これをＤＶＤ装置１に装填されたＤＶＤに記録するＤＶダビング処理を行うとともに、供給された映像データ、音声データを再生するようにする（ステップＳ３１９）。
【０２８４】
このステップＳ３１９の処理においては、例えば、図３１に示したようなダビング中を示す画面（ＤＶ再生画面）が表示するようにされる。また、ステップＳ３１９の処理においては、ＤＶカメラ２に装填されたＤＶテープの飛び飛びの位置の複数のシーンをダビングする場合もあり、目的とするシーンをサーチするために、ＤＶテープの巻き戻しや早送りが行われる場合もある。この場合には、映像データ、音声データはＤＶカメラ２から供給されないので、表示画面には、ミュート画として、黒色画面あるいは青色画面を表示する。
【０２８５】
もちろん、上述したＰＧダビング処理のステップＳ１１９の処理の場合と同様に、再生用バッファメモリを用いて、動画を表示するようにしたり、ダビングが完了している直近のシーンのアウト点の画像を静止画像として表示したり、あるいは、ＤＶカメラ２において目的とするシーンのサーチ中である旨のメッセージ表示を行うようにするなど、任意の静止画像やメッセージ画像を表示したりすることもできる。
【０２８６】
そして、システムコントローラ１５０は、ＤＶダビング処理が終了するか、あるいは、ＤＶダビング処理の中止が指示されるまで、ＤＶ実ダビング処理を続行し（ステップＳ３２０）、ＤＶダビング処理が終了したと判断したときには、終了確認画面を作成して出力する（ステップＳ３２１）。そして、使用者からの確認入力を受け付けて（ステップＳ３２２）、図２２に示したステップＳ３０１からの処理を繰り返すようにする。
【０２８７】
また、ステップＳ３１８、あるいは、ステップＳ３１９の処理においてＤＶダビングの中止が指示された場合には、ダビングを中止して、図２２に示したステップＳ３０１からの処理を繰り返すようにする。
【０２８８】
このようにして、編集処理を行うことにより、予めＤＶＤ装置１のＥＥＰＲＯＭ１５４に作成した編集データに基づいて、ＤＶカメラ２に装填された編集処理の対象とされた大元のタイトルが記録されているＤＶテープから、編集タイトルの映像データと音声データとをＤＶＤにダビングすることができるようにされる。
【０２８９】
したがって、シーンの選択など、同じ編集処理を複数回行うことなく、既に作成された編集データに基づいて、同じ編集タイトルの映像データと音声データとを複数のＤＶＤに簡単にダビングすることができるようにされる。しかも、ＤＶＤ装置１とＤＶカメラ２と以外に中間の装置が必要となることもなく、また、ＤＶＤ装置が２台必要になることもない。
【０２９０】
次に、サブメニューにおいて、ＤＶダビング以外の処理が選択された場合について説明する。つまり、ステップＳ３０７の判断処理において、サブメニューを通じて選択された処理が、ＤＶダビングではないと判断したときには、システムコントローラ１５０は、図２４に示すステップＳ３２３からの処理を行う。
【０２９１】
この場合、システムコントローラ１５０は、まず、ステップＳ３０６において、サブメニューに対して入力するようにされた選択入力は、編集処理を選択するものか否かを判断する（ステップＳ３２３）。ステップＳ３２３の判断処理において、選択された処理が編集処理ではないと判断したときには、サブメニューを通じて選択可能な編集タイトルの消去などの他の処理が行われることになる（ステップＳ３２４）。
【０２９２】
ステップＳ３２３の判断処理において、ステップＳ３０５において表示するようにされたサブメニューを通じて編集処理が選択されたと判断したときには、システムコントローラ１５０は、選択されたタイトルは、既に編集処理が進み、シーンを有する編集データを持つタイトルか否かを判断する（ステップＳ３２５）。
【０２９３】
ステップＳ３２５の判断処理において、シーン無しと判断したときには、システムコントローラ１５０は、シーン選択確認画面を表示するためのデータを形成し、これをＯＳＤ部１２３に供給するようにして、シーン選択確認画面をＤＶＤ装置１に接続されたモニタ受像機の表示画面にシーン選択確認画面を表示するようにする（ステップＳ３２６）。このシーン選択確認画面は、シーンの自動生成を行うか、使用者によるシーンの選択を受け付けるようにするか、あるいは、シーンの選択を中止するかの指示入力を受け付けるためのものである。
【０２９４】
そして、システムコントローラ１５０は、シーン選択確認画面に対する選択入力をリモコン装置１６０を通じて受け付ける（ステップＳ３２７）。そして、システムコントローラ１５０は、ステップＳ３２７において受け付けた選択入力が、シーン選択処理の中止を指示するものであるか否かを判断する（ステップＳ３２８）。
【０２９５】
ステップＳ３２８の判断処理において、シーン選択の中止が選択されたと判断したときには、システムコントローラ１５０は、図２２のステップＳ３０１からの処理を繰り返すようにする。ステップＳ３２８の判断処理においてシーン選択の中止は選択されていないと判断したときには、システムコントローラ１５０は、シーンの自動生成が選択されたか否かを判断する（ステップＳ３２９）。
【０２９６】
ステップＳ３２９の判断処理において、シーンの自動生成が指示されたと判断したときには、システムコントローラ１５０は、ダビング時に設定される当該タイトルの先頭およびギャップ点をイン点として複数のシーンが自動生成する（ステップＳ３３０）。この場合、編集データの仮想タイトル情報の欄のイン点、アウト点が自動的に生成するようにされる。
【０２９７】
また、ステップＳ３２９の判断処理において、シーンの自動生成は指示されていないと判断したときには、シーンの選択処理の実行が指示されたと判断し、使用者からのシーンのイン点とアウト点との設定入力を受け付けるシーン選択処理を実行する（ステップＳ３３１）。
【０２９８】
このステップＳ３３１の処理は、ＤＶＤ装置１に装填されているＤＶＤに既にダビングされているタイトルを編集対象として再生するようにすることを除けば、ＤＶカメラ２のＤＶテープに記録されているタイトルを編集対象とする図１８、図１９に示したＰＧダビング処理のステップＳ１０５の処理とほぼ同様の処理である。
【０２９９】
つまり、図２８、図２９に示したイン点設定画面、アウト点設定画面を通じて、目的とする１つ以上のシーンのイン点とアウト点との設定入力を受け付ける処理である。この場合、編集データの仮想タイトル情報の欄のイン点、アウト点が自動的に生成するようにされる。
【０３００】
そして、ステップＳ３３０、ステップＳ３３１の処理が終了すると、システムコントローラ１５０は、図２５に示すステップＳ３３２の処理を実行する。つまり、システムコントローラ１５０は、ステップＳ３３０の処理により、あるいは、ステップＳ３３１の処理により、形成された編集データの仮想タイトル情報の欄のイン点、アウト点の情報を用いて、図３０に示したようなシーン一覧（シーンリスト）を表示するためのデータを作成し、これをＯＳＤ１２３に供給するようにして、当該シーンリストをＤＶＤ装置１に接続されたモニタ受像機の表示画面に表示して（ステップＳ３３２）、選択入力を受け付けるようにする（ステップＳ３３３）。
【０３０１】
このステップＳ２１１、ステップＳ２１２の処理は、図１８に示したＰＧダビング処理のステップＳ１０９、ステップＳ１１０の処理と同様に、編集の確定、シーンの追加、編集の中止を指示することができるほか、シーンを指定して、その信号の移動、消去、確認再生、イン点修正、アウト点修正を行うこともできるようにされる。
【０３０２】
そして、システムコントローラ１５０は、ステップＳ３３３において受け付けた指示入力は何かを判断する（ステップＳ３３４）。ステップＳ３３４の判断処理において、編集の中止が指示されたと判断したときには、保存確認画面を表示するための表示データを作成し、これをＯＳＤ部１２３に供給して、保存確認画面をこのＤＶＤ装置１に接続されたモニタ受像機の表示画面に表示するようにし（ステップＳ３３５）、使用者からの確認入力を受け付けるようにする（ステップＳ３３６）。
【０３０３】
この場合、ステップＳ３３５で表示される保存確認画面は、今回の編集により作成された編集データを保存するか否かを受け付けるようにするものである。そして、システムコントローラ１５０は、ステップＳ３３５において受け付けた確認入力は、編集データの保存を指示するものであるか否かを判断する（ステップＳ３３７）。
【０３０４】
ステップＳ３３７の判断処理において、保存が指示されたと判断したときには、今回作成した編集データをＥＥＰＲＯＭ１５４に保存して（ステップＳ３３８）、この図２２〜図２５に示した処理を終了する。また、ステップＳ３３７の判断処理において保存は指示されていない、単に終了が指示されただけであると判断したときには、システムコントローラ１５０は、今回作成した編集データを保存することなく、この図２２〜図２５に示したディスク編集ダビング処理を終了する。また、ステップＳ３３７の判断処理において保存ではなく、前画面に戻るように指示されたと判断したときには、ステップＳ３３２からの処理を繰り返すようにする。
【０３０５】
また、ステップＳ３３４の判断処理において、編集の確定が指示されたと判断したときには、システムコントローラ１５０は、ＰＬ生成確認画面を表示するためのデータを形成し、これをＯＳＤ１２３に供給するようにして、ＰＬ生成確認画面をＤＶＤ装置１に接続されたモニタ受像機の表示画面に表示するようにする（ステップＳ３３９）。
【０３０６】
このＰＬ生成確認画面では、作成した編集データと同じデータを目的とする１つ以上のシーンからなる新たなタイトルを再生するようにするためのＰＬ（再生リスト：Ｐｌａｙ  Ｌｉｓｔ）として、ダビングに用いたＤＶＤに記録するか否かを受け付けるようにするものである。
【０３０７】
そして、システムコントローラ１５０は、ＰＬ生成確認画面に対する確認入力を、リモコン装置１６０を通じて受け付ける（ステップＳ３４０）。そして、ステップＳ３４０で受け付けた確認入力は、ＰＬの生成か否かを判断する（ステップＳ３４１）。
【０３０８】
ステップＳ３４１の判断処理において、ＰＬの生成が指示されたと判断したときには、システムコントローラ１５０は、ＥＥＰＲＯＭ１５４上に今回作成された編集データをＰＬとして、ディスク編集ダビング処理に用いたＤＶＤに記録し（ステップＳ３４２）、この図２２〜図２５に示す処理を終了する。
【０３０９】
また、ステップＳ３４１の判断処理において、ＰＬの生成を行わないことが指示されたと判断したときには、ＰＬは生成することなく、この図２２〜図２５に示す処理を終了する。また、ステップＳ３４１の判断処理において、ＰＬ生成確認画面に対するリモコン装置１６０を介して受け付けた使用者からの指示が、リモコン装置１６０の戻るキーを操作するものであると判断したときには、ステップＳ３３２からの処理を繰り返し、シーンリストの作成、出力の処理から繰り返すようにされる。
【０３１０】
また、ステップＳ３３４の判断処理において、シーンの追加が指示されたと判断したときには、システムコントローラ１５０は、図２４に示した処理のステップＳ３３１からの処理を繰り返し、シーンの追加ができるようにしている。
【０３１１】
このようにして、ＤＶＤ装置１においては、ディスク編集リスト機能を実行し、
既に作成された編集データに基づいて、ＤＶカメラ２に装填されたＤＶテープに記録されている編集対象となったタイトルの内の目的とするシーンからなる編集タイトルをＤＶＤ装置１に装填されたＤＶＤにダビングすることができるほか、既に作成されている編集データに基づいて、シーンを追加したり、削除したり、あるいは、イン点、アウト点を微調整したりするなど、さらに編集を行うようにすることもできる。
【０３１２】
また、この場合にも、ＤＶＤ装置１とＤＶカメラ２とを用いるだけで、簡単に編集データに基づくＤＶダビング（コピーダビング）を行うことができる。また、編集データに基づく編集処理をＤＶＤ装置１だけで行うようにすることができる。
【０３１３】
なお、上述した実施の形態においては、編集データには、実タイトル情報、仮想タイトル情報として、目的とするシーンのＤＶテープ上の位置や、ＤＶＤ上の位置を示す情報であるタイムコードだけを用いるようにしたが、これに限るものではない。
【０３１４】
例えば、各シーンのイン点のフレームのサムネイル画像を形成し、これを各シーンに対応付けて、編集データの情報として保持するようにしてもよい。サムネイル画像の形成は、フレームデータの供給を受けてサムネイル画像を形成するサムネイル画像形成部をＤＶＤ装置１内に別個に設けてもよいし、システムコントローラ１５０にサムネイル画像の形成機能を持たせるようにしてもよい。つまり、ソフトウエアによっても実現可能である。
【０３１５】
また、記録もモードとして、例えば、記録密度を１倍、１．５倍、２倍、３倍、４倍、６倍のように複数段階に切り換えることができるようにされている場合には、その記録モードを示す情報も、タイムコードとともにシーン別に編集データを構成するデータとして記録しておくようにしてもよい。
【０３１６】
このようにしておけば、例えば、必要なタイトルを１枚のＤＶＤに納めることができるように、シーンごとに記録モードを変更できるようにした場合であっても、記録モードの異なる各シーンを適正に再生することができるようにされる。
【０３１７】
また、例えば、ＰＧダビング機能を用いる場合に、ＤＶＤ装置１が自機に装填されたＤＶＤの空き容量を検出し、編集データに基づいて、ＤＶカメラ２のＤＶテープからＤＶＤにダビングしようとする編集タイトルの全部を標準記録モードで記録できるか否かを判断し、空き容量不足で記録できない場合には、例えば、シーン単位に記録モードを変更し、当該編集タイトルの全部を当該ＤＶＤに記録できるように制御することも可能である。
【０３１８】
この場合にも、記録モードを示す情報を編集タイトルの各シーンに対応させて記録しておくことにより、記録モードの異なる複数のシーンからなる編集タイトルであっても、支障なく再生することができる。
【０３１９】
なお、現状において、ＤＶＤ＋ＲＷフォーマットの場合には、１タイトル中に異なる画枠の映像を混在させたり、１タイトル中に異なる記録モードの画像を混在させたりすることはできないようにされている。しかし、ＤＶＤ＋ＲＷフォーマット以外のフォーマットでは、上述のような制限は無いので、シーン単位で記録モードを変更するようにすることができる。
【０３２０】
また、上述した実施の形態においては、編集対象の情報信号としては、映像データと音声データであるものとして説明したが、これに限るものではなく、絵像データと音声データの内のいずれか一方だけであってもよいし、その他、連続性のある種々の時系列データ、テキストデータ等を編集する場合にもこの発明を適用することができる。
【０３２１】
また、上述の実施の形態においては、ＤＶＤ装置１とＤＶカメラ２とをデジタルインターフェースケーブルであるＩＥＥＥ１３９４ケーブルを用いて有線で接続する場合を例にして説明したが、有線で接続する場合だけでなく、ＩＥＥＥ８０２などの無線通信規格を用いて無線通信により情報信号や制御信号を送受するようにしてももちろんよい。
【０３２２】
また、前述した実施の形態においては、この発明による装置、方法をＤＶＤ装置に適用した場合を例にして説明したが、これに限るものではない。ＤＶＤ以外の光ディスク媒体や、磁気ディスク媒体、半導体記録媒体などのランダムアクセスが可能な種々の記録媒体を用いる情報信号記録装置や情報信号記録再生装置、あるいは、テープ記録媒体を用いる情報信号記録装置にも適用することができる。
【０３２３】
また、編集対象のタイトルが記録された記録媒体が装填される装置もＤＶカメラに限られるものではなく、ディスク再生装置等であってもよい。したがって、目的とするシーンのイン点、アウト点を示す情報もタイムコードなどの時間情報に限られるものではなく、記録媒体上の位置を確実に特定可能なアドレスなどの情報であってももちろんよい。要は、目的とするシーンの先頭から末尾までの記録位置を正確に示すことが可能な各種の情報を位置情報として用いることが可能である。
【０３２４】
【発明の効果】
以上説明したように、この発明によれば、大容量記録媒体をワークエリアとして用いたり、パーソナルコンピュータなどの装置を介在させたりすることなく、編集もとの情報が記録された記録媒体が装填された機器と、編集後の情報が記録される記録媒体が装填された機器とだけを用いて、情報の編集、ダビングができるようにされる。また、同じ内容の編集情報を複数の記録媒体に記録することも容易にできるようにされる。
【図面の簡単な説明】
【図１】この発明の一実施の形態を説明するためのブロック図である。
【図２】ＤＶテープの記録情報について説明するための図である。
【図３】この発明による装置、方法の一実施の形態が適用されたＤＶＤ装置について説明するためのブロック図である。
【図４】図３に示したＤＶＤ装置で実行されるダビング機能について説明するための図である。
【図５】図３に示したＤＶＤ装置で実行可能なおまかせダビング機能を説明するための図である。
【図６】図３に示したＤＶＤ装置で実行可能なＰＧダビング機能を説明するための図である。
【図７】図３に示したＤＶＤ装置で実行可能なディスク編集ダビング機能を説明するための図である。
【図８】各編集機能の概要を説明するための図である。
【図９】ＰＧデータ編集機能の概要を説明するための図である、
【図１０】コピー（ＤＶダビング）機能の概要を説明するための図である。
【図１１】ＰＧダビング機能を用いた場合に形成される編集データを説明するための図である。
【図１２】ＰＧダビング機能を用いた場合に形成される編集データを説明するための図である。
【図１３】ディスク編集ダビング機能を用いた場合の具体例を説明するための図である。
【図１４】図１３に示した編集例の場合に形成される編集データを説明するための図である。
【図１５】ＰＧデータ編集機能を用いた場合の具体例を説明するための図である。
【図１６】図１５に示した編集例の場合に形成される編集データを説明するための図である。
【図１７】図３に示した装置において実行されるＤＶ編集処理を説明するためのフローチャートである。
【図１８】ＰＧダビング機能が実行するようにされた場合の図３に示した装置の動作を説明するためのフローチャートである。
【図１９】図１８に続くフローチャートである。
【図２０】ディスク編集ダビング機能が実行するようにされた場合の図３に示した装置の動作を説明するためのフローチャートである。
【図２１】図２０に続くフローチャートである。
【図２２】ディスク編集リスト機能が実行するようにされた場合の図３に示した装置の動作を説明するためのフローチャートである。
【図２３】図２２に続くフローチャートである。
【図２４】図２３に続くフローチャートである。
【図２５】図２４に続くフローチャートである。
【図２６】ＤＶ編集メニューの表示例を説明するための図である。
【図２７】シーン選択確認画面、継続確認画面の表示例を説明するための図である。
【図２８】イン点設定画面の表示例を説明するための図である。
【図２９】アウト点設定画面の表示例を説明するための図である。
【図３０】シーン一覧リスト（シーンリスト）の表示例を説明するための図である。
【図３１】ＤＶ再生画面の表示例を説明するための図である。
【図３２】ＤＶ編集リスト（編集タイトル一覧リスト）の表示例を説明するための図である。
【符号の説明】
１…ＤＶＤ装置、１０１…地上波チューナ、１０２…入力切換器、１０３…ＹＣ分離回路、１０４…入力切換器、１０５…ＮＴＳＣデコーダ、１０６…同期制御回路、１０７…プリ映像信号処理回路、１０８…ＭＰＥＧビデオエンコーダ、１０９…多重・分離部、１１０…Ａ／Ｄ変換器、１１１…ＭＰＥＧオーディオエンコーダ、１１２…デジタルインターフェース回路、１１３…デジタルチューナ、１１４…ＤＶＤ（記録媒体）、１２１…ＭＰＥＧビデオデコーダ、１２２…ポスト映像信号処理回路、１２３…ＯＳＤ部、１２４…ＮＴＳＣエンコーダ、１２５…ＭＰＥＧオーディオデコーダ、１２６…切換器、１２７…Ｄ／Ａ変換器、１２８…ＤＶコーデック、１２９…デジタルインターフェース回路、１３０…ＥＰＧ用チューナ、１３１…データスライサ、１５０…システムコントローラ、１５１…ＣＰＵ、１５２…ＲＯＭ、１５３…ＲＡＭ、１５４…ＥＥＰＲＯＭ、１５５…リモコン信号受光部、１６０…リモコン装置、２…ＤＶカメラ、３…デジタルインターフェースケーブル（ＩＥＥＥ１３９４ケーブル）
【図１】
2004221884.tif 000003
【図２】
2004221884.tif 000004
【図３】
2004221884.tif 000005
【図４】
2004221884.tif 000006
【図５】
2004221884.tif 000007
【図６】
2004221884.tif 000008
【図７】
2004221884.tif 000009
【図８】
2004221884.tif 000010
【図９】
2004221884.tif 000011
【図１０】
2004221884.tif 000012
【図１１】
2004221884.tif 000013
【図１２】
2004221884.tif 000014
【図１３】
2004221884.tif 000015
【図１４】
2004221884.tif 000016
【図１５】
2004221884.tif 000017
【図１６】
2004221884.tif 000018
【図１７】
2004221884.tif 000019
【図１８】
2004221884.tif 000020
【図１９】
2004221884.tif 000021
【図２０】
2004221884.tif 000022
【図２１】
2004221884.tif 000023
【図２２】
2004221884.tif 000024
【図２３】
2004221884.tif 000025
【図２４】
2004221884.tif 000026
【図２５】
2004221884.tif 000027
【図２６】
2004221884.tif 000028
【図２７】
2004221884.tif 000029
【図２８】
2004221884.tif 000030
【図２９】
2004221884.tif 000031
【図３０】
2004221884.tif 000032
【図３１】
2004221884.tif 000033
【図３２】
2004221884.tif 000034